(57)【要約】  本出願の実施形態は情報伝送方法およびデバイスを提供する。本方法は、第1のデバイスにより、サービングセルのサブキャリア間隔を決定するステップと、サービングセルのサブキャリア間隔に基づいてサービングセルのリソースユニットを決定するステップと、サービングセルのリソースユニットに基づいてサービングセル内の第2のデバイスに情報を送信し、または、サービングセルのリソースユニットに基づいてサービングセルにおいて、第2のデバイスによって送信された情報を受信するステップと、を含む。このようにして、情報伝送が複数のシステム・パラメータ・セットに基づいて実施される。
2019511879.tif 000002
【特許請求の範囲】
【請求項１】
情報伝送方法であって、
第1のデバイスにより、サービングセルのサブキャリア間隔を決定するステップと、
前記第1のデバイスにより、前記サービングセルの前記サブキャリア間隔に基づいて前記サービングセルのリソースユニットを決定するステップと、
前記第1のデバイスにより、前記サービングセルの前記リソースユニットに基づいて前記サービングセル内の第2のデバイスに情報を送信し、または、前記サービングセルの前記リソースユニットに基づいて前記サービングセルにおいて、前記第2のデバイスによって送信された情報を受信するステップと
を含む方法。
【請求項２】
前記第1のデバイスにより、前記サービングセルの前記サブキャリア間隔に基づいて前記サービングセルのリソースユニットを決定する前記ステップが、
前記第1のデバイスにより、前記サービングセルの前記サブキャリア間隔に基づいて前記サービングセルの前記リソースユニットのパラメータを決定するステップであって、前記リソースユニットの前記パラメータが、前記リソースユニットの長さ、前記リソースユニットに含まれるシンボルの数、前記リソースユニットに含まれるサブキャリアの数、前記リソースユニットに含まれるシンボルの有効シンボル長、および前記リソースユニットに含まれるシンボルのサイクリックプレフィックスCP長のうちの少なくとも1つを含む、ステップ
を含む、請求項1に記載の方法。
【請求項３】
前記第1のデバイスにより、前記サービングセルの前記サブキャリア間隔に基づいて、前記サービングセルの前記リソースユニットの長さを決定する前記ステップが、
前記サービングセルの前記サブキャリア間隔がΔf1である場合、前記リソースユニットの前記長さが
【数１】
2019511879.tif 000034
であると決定するステップであって、式中、Δf1＝N1・15kHzであり、N1が2以上の正の整数であり、t1が1msである、ステップ
を含む、請求項2に記載の方法。
【請求項４】
前記第1のデバイスにより、前記サービングセルの前記サブキャリア間隔に基づいて、前記サービングセルの前記リソースユニットに含まれるシンボルの数を決定する前記ステップが、
前記第1のデバイスにより、前記サービングセルの前記サブキャリア間隔に基づいて、前記サービングセルの前記リソースユニットに含まれるシンボルの前記数が14であると決定するステップであって、前記サービングセルの前記サブキャリア間隔が15kHzの倍数である、ステップ
を含む、請求項2または3に記載の方法。
【請求項５】
前記第1のデバイスにより、前記サービングセルの前記サブキャリア間隔に基づいて、前記サービングセルの前記リソースユニットに含まれるサブキャリアの数を決定する前記ステップが、
前記第1のデバイスにより、前記サービングセルの前記サブキャリア間隔に基づいて、前記サービングセルの前記リソースユニットに含まれるサブキャリアの前記数が12であると決定するステップであって、前記サービングセルの前記サブキャリア間隔が15kHzの倍数である、ステップ、または
前記第1のデバイスにより、前記サービングセルの前記サブキャリア間隔に基づいて、前記サービングセルの前記リソースユニットに含まれるサブキャリアの前記数が12の倍数であると決定するステップ
を含む、請求項2から4のいずれか一項に記載の方法。
【請求項６】
前記第1のデバイスにより、前記サービングセルの前記サブキャリア間隔に基づいて、前記サービングセルの前記リソースユニットに含まれるシンボルの有効シンボル長を決定する前記ステップが、
前記サービングセルの前記サブキャリア間隔がΔf1である場合、前記リソースユニットに含まれる前記シンボルの前記有効シンボル長が
【数２】
2019511879.tif 000035
であると決定するステップであって、式中、Δf1＝N1・15kHzであり、N1が2以上の正の整数であり、Ts＝1／（15000×2048）である、ステップ
を含む、請求項2から5のいずれか一項に記載の方法。
【請求項７】
前記リソースユニットが第1のノーマルCPシンボルおよび第2のノーマルCPシンボルを含み、
前記第1のデバイスにより、前記サービングセルの前記サブキャリア間隔に基づいて、前記サービングセルの前記リソースユニットに含まれるシンボルのサイクリックプレフィックスCP長を決定する前記ステップが、
前記サービングセルの前記サブキャリア間隔がΔf1である場合、前記第1のノーマルCPシンボルの長さが
【数３】
2019511879.tif 000036
であり、前記第2のノーマルCPシンボルの長さが
【数４】
2019511879.tif 000037
であると決定するステップであって、式中、Δf1＝N1・15kHzであり、N1が2以上の正の整数であり、Ts＝1／（15000×2048）である、ステップ
を含む、請求項2から6のいずれか一項に記載の方法。
【請求項８】
前記リソースユニットが、M1個の第1のノーマルCPシンボルおよびM2個の第2のノーマルCPシンボルを含み、M1とM2がどちらも正の整数であり、前記サービングセルの前記サブキャリア間隔が異なる値を有する場合、M1の値とM2の値が不変のままである、請求項7に記載の方法。
【請求項９】
M1が2であり、M2が12である、請求項8に記載の方法。
【請求項１０】
前記リソースユニット内のシンボル0からシンボル（M1−1）が前記第1のノーマルCPシンボルであり、前記リソースユニット内のシンボルM1からシンボル（M1＋M2−1）が前記第2のノーマルCPシンボルであり、または
前記リソースユニット内のシンボル0およびシンボル（（M1＋M2）／2）が前記第1のノーマルCPシンボルであり、前記リソースユニット内の前記シンボル0および前記シンボル（（M1＋M2）／2）以外のシンボルが前記第2のノーマルCPシンボルである、請求項8または9に記載の方法。
【請求項１１】
前記サービングセルの前記サブキャリア間隔が第1のサブキャリア間隔セットに属し、前記第1のサブキャリア間隔セットが第1のサブキャリア間隔および第2のサブキャリア間隔を含み、前記第1のサブキャリア間隔と前記第2のサブキャリア間隔がどちらも15kHzの倍数であり、前記第1のサブキャリア間隔が前記第2のサブキャリア間隔よりも小さく、
前記サービングセルの前記サブキャリア間隔が前記第1のサブキャリア間隔である場合、前記リソースユニット内のシンボル0およびシンボル（（M1＋M2）／2）が前記第1のノーマルCPシンボルであり、前記リソースユニット内の前記シンボル0および前記シンボル（（M1＋M2）／2）以外のシンボルが前記第2のノーマルCPシンボルであり、または
前記サービングセルの前記サブキャリア間隔が前記第2のサブキャリア間隔である場合、前記リソースユニット内のシンボル0からシンボル（M1−1）が前記第1のノーマルCPシンボルであり、前記リソースユニット内のシンボルM1からシンボル（M1＋M2−1）が前記第2のノーマルCPシンボルである、請求項8または9に記載の方法。
【請求項１２】
前記第2のサブキャリア間隔が前記第1のサブキャリア間隔の2倍である、請求項11に記載の方法。
【請求項１３】
第1のデバイスにより、サービングセルのサブキャリア間隔を決定する前記ステップが、
前記第1のデバイスにより、前記サービングセル内の第1の帯域幅部分に対応するサブキャリア間隔を決定し、前記サービングセル内の第2の帯域幅部分に対応するサブキャリア間隔を決定するステップであって、前記第1の帯域幅部分に対応する前記サブキャリア間隔が前記第1のサブキャリア間隔であり、前記第2の帯域幅部分に対応する前記サブキャリア間隔が前記第2のサブキャリア間隔である、ステップ
を含む、請求項11または12に記載の方法。
【請求項１４】
前記第1のデバイスにより、前記サービングセルの前記サブキャリア間隔に基づいて、前記サービングセルの前記リソースユニットの長さを決定する前記ステップが、
前記サービングセルの前記サブキャリア間隔がΔf2である場合、前記リソースユニットの前記長さが
【数５】
2019511879.tif 000038
であると決定するステップであって、式中、Δf2＝N2・17.5kHzであり、N2が1以上の正の整数であり、t2が1msである、ステップ
を含む、請求項2に記載の方法。
【請求項１５】
前記第1のデバイスにより、前記サービングセルの前記サブキャリア間隔に基づいて、前記サービングセルの前記リソースユニットに含まれるシンボルの数を決定する前記ステップが、
前記第1のデバイスにより、前記サービングセルの前記サブキャリア間隔に基づいて、前記サービングセルの前記リソースユニットに含まれるシンボルの前記数が16であると決定するステップであって、前記サービングセルの前記サブキャリア間隔が17.5kHzの倍数である、ステップ
を含む、請求項2または14に記載の方法。
【請求項１６】
前記第1のデバイスにより、前記サービングセルの前記サブキャリア間隔に基づいて、前記サービングセルの前記リソースユニットに含まれるサブキャリアの数を決定する前記ステップが、
前記第1のデバイスにより、前記サービングセルの前記サブキャリア間隔に基づいて、前記サービングセルの前記リソースユニットに含まれるサブキャリアの前記数が16であると決定するステップであって、前記サービングセルの前記サブキャリア間隔が17.5kHzの倍数である、ステップ、または
前記第1のデバイスにより、前記サービングセルの前記サブキャリア間隔に基づいて、前記サービングセルの前記リソースユニットに含まれるサブキャリアの前記数が16の倍数であると決定するステップ
を含む、請求項2、14、および15のいずれか一項に記載の方法。
【請求項１７】
前記第1のデバイスにより、前記サービングセルの前記サブキャリア間隔に基づいて、前記サービングセルの前記リソースユニットに含まれるシンボルの有効シンボル長を決定する前記ステップが、
前記サービングセルの前記サブキャリア間隔がΔf2である場合、前記リソースユニットに含まれる前記シンボルの前記有効シンボル長が
【数６】
2019511879.tif 000039
であると決定するステップであって、式中、Δf2＝N2・17.5kHzであり、N2が1以上の正の整数であり、Tsymbolが、前記サービングセルの前記サブキャリア間隔が17.5kHzである場合に前記リソースユニットに含まれる前記シンボルの前記有効シンボル長である、ステップ
を含む、請求項2、および14から16のいずれか一項に記載の方法。
【請求項１８】
Tsymbolが1／17500秒である、請求項17に記載の方法。
【請求項１９】
前記第1のデバイスにより、前記サービングセルの前記サブキャリア間隔に基づいて、前記サービングセルの前記リソースユニットに含まれるシンボルのサイクリックプレフィックスCP長を決定する前記ステップが、
前記サービングセルの前記サブキャリア間隔がΔf2である場合、前記リソースユニットに含まれる前記シンボルの前記サイクリックプレフィックスCP長が
【数７】
2019511879.tif 000040
であると決定するステップであって、式中、Δf2＝N2・17.5kHzであり、N2が1以上の正の整数であり、TCPが、前記サービングセルの前記サブキャリア間隔が17.5kHzである場合に前記リソースユニットに含まれる前記シンボルの前記CP長である、ステップ
を含む、請求項2、および14から18のいずれか一項に記載の方法。
【請求項２０】
TCPが5.36μsである、請求項19に記載の方法。
【請求項２１】
前記サービングセルの前記サブキャリア間隔が変動する場合、前記サービングセルの前記リソースユニット内のチャネルが同じリソース位置を占有し、かつ／もしくは前記サービングセルの前記リソースユニット内の信号が同じリソース位置を占有し、または
前記サービングセルの前記サブキャリア間隔が同じサブキャリア間隔セット内で変動する場合、前記サービングセルの前記リソースユニット内のチャネルが同じリソース位置を占有し、かつ／もしくは前記サービングセルの前記リソースユニット内の信号が同じリソース位置を占有する、請求項1から20のいずれか一項に記載の方法。
【請求項２２】
前記サブキャリア間隔セットに含まれるすべての異なるサブキャリア間隔が、15kHzの倍数または17.5kHzの倍数である、請求項21に記載の方法。
【請求項２３】
前記サブキャリア間隔セットが特定の搬送波周波数セットに対応し、異なるサブキャリア間隔セットが異なる搬送波周波数セットに対応する、請求項21または22に記載の方法。
【請求項２４】
前記リソースユニットの前記長さがサブフレーム長である、請求項2から23のいずれか一項に記載の方法。
【請求項２５】
デバイスであって、前記デバイスが第1のデバイスであり、前記デバイスが、
サービングセルのサブキャリア間隔を決定し、前記サービングセルの前記サブキャリア間隔に基づいて前記サービングセルのリソースユニットを決定するように構成された処理部と、
前記処理部によって決定された前記サービングセルの前記リソースユニットに基づいて前記サービングセル内の第2のデバイスに情報を送信し、または、前記処理部によって決定された前記サービングセルの前記リソースユニットに基づいて前記サービングセルにおいて、前記第2のデバイスによって送信された情報を受信するように構成された送受信部と
を含む、デバイス。
【請求項２６】
前記処理部が、前記サービングセルの前記サブキャリア間隔に基づいて前記サービングセルの前記リソースユニットのパラメータを決定し、前記リソースユニットの前記パラメータが、前記リソースユニットの長さ、前記リソースユニットに含まれるシンボルの数、前記リソースユニットに含まれるサブキャリアの数、前記リソースユニットに含まれるシンボルの有効シンボル長、および前記リソースユニットに含まれるシンボルのサイクリックプレフィックスCP長のうちの少なくとも1つを含む、ように特に構成される、請求項25に記載のデバイス。
【請求項２７】
前記処理部が、前記サービングセルの前記サブキャリア間隔がΔf1である場合、前記リソースユニットの前記長さが
【数８】
2019511879.tif 000041
であると決定し、式中、Δf1＝N1・15kHzであり、N1が2以上の正の整数であり、t1が1msである、ように特に構成される、請求項26に記載のデバイス。
【請求項２８】
前記処理部が、前記サービングセルの前記サブキャリア間隔に基づいて、前記サービングセルの前記リソースユニットに含まれるシンボルの前記数が14であると決定し、前記サービングセルの前記サブキャリア間隔が15kHzの倍数である、ように特に構成される、請求項26または27に記載のデバイス。
【請求項２９】
前記処理部が、
前記サービングセルの前記サブキャリア間隔に基づいて、前記サービングセルの前記リソースユニットに含まれるサブキャリアの前記数が12であると決定し、前記サービングセルの前記サブキャリア間隔が15kHzの倍数であり、または
前記サービングセルの前記サブキャリア間隔に基づいて、前記サービングセルの前記リソースユニットに含まれるサブキャリアの前記数が12の倍数であると決定する
ように特に構成される、請求項26から28のいずれか一項に記載のデバイス。
【請求項３０】
前記処理部が、前記サービングセルの前記サブキャリア間隔がΔf1である場合、前記リソースユニットに含まれる前記シンボルの前記有効シンボル長が
【数９】
2019511879.tif 000042
であると決定し、式中、Δf1＝N1・15kHzであり、N1が2以上の正の整数であり、Ts＝1／（15000×2048）である、ように特に構成される、請求項26から29のいずれか一項に記載のデバイス。
【請求項３１】
前記リソースユニットが第1のノーマルCPシンボルおよび第2のノーマルCPシンボルを含み、
前記処理部が、
前記サービングセルの前記サブキャリア間隔がΔf1である場合、前記第1のノーマルCPシンボルの長さが
【数１０】
2019511879.tif 000043
であり、前記第2のノーマルCPシンボルの長さが
【数１１】
2019511879.tif 000044
であると決定し、式中、Δf1＝N1・15kHzであり、N1が2以上の正の整数であり、Ts＝1／（15000×2048）である、
ように特に構成される、請求項26から30のいずれか一項に記載のデバイス。
【請求項３２】
前記リソースユニットが、M1個の第1のノーマルCPシンボルおよびM2個の第2のノーマルCPシンボルを含み、M1とM2がどちらも正の整数であり、前記サービングセルの前記サブキャリア間隔が異なる値を有する場合、M1の値とM2の値が不変のままである、請求項31に記載のデバイス。
【請求項３３】
M1が2であり、M2が12である、請求項32に記載のデバイス。
【請求項３４】
前記リソースユニット内のシンボル0からシンボル（M1−1）が前記第1のノーマルCPシンボルであり、前記リソースユニット内のシンボルM1からシンボル（M1＋M2−1）が前記第2のノーマルCPシンボルであり、または
前記リソースユニット内のシンボル0およびシンボル（（M1＋M2）／2）が前記第1のノーマルCPシンボルであり、前記リソースユニット内の前記シンボル0および前記シンボル（（M1＋M2）／2）以外のシンボルが前記第2のノーマルCPシンボルである、請求項32または33に記載のデバイス。
【請求項３５】
前記サービングセルの前記サブキャリア間隔が第1のサブキャリア間隔セットに属し、前記第1のサブキャリア間隔セットが第1のサブキャリア間隔および第2のサブキャリア間隔を含み、前記第1のサブキャリア間隔と前記第2のサブキャリア間隔がどちらも15kHzの倍数であり、前記第1のサブキャリア間隔が前記第2のサブキャリア間隔よりも小さく、
前記サービングセルの前記サブキャリア間隔が前記第1のサブキャリア間隔である場合、前記リソースユニット内のシンボル0およびシンボル（（M1＋M2）／2）が前記第1のノーマルCPシンボルであり、前記リソースユニット内の前記シンボル0および前記シンボル（（M1＋M2）／2）以外のシンボルが前記第2のノーマルCPシンボルであり、または
前記サービングセルの前記サブキャリア間隔が前記第2のサブキャリア間隔である場合、前記リソースユニット内のシンボル0からシンボル（M1−1）が前記第1のノーマルCPシンボルであり、前記リソースユニット内のシンボルM1からシンボル（M1＋M2−1）が前記第2のノーマルCPシンボルである、請求項32または33に記載のデバイス。
【請求項３６】
前記第2のサブキャリア間隔が前記第1のサブキャリア間隔の2倍である、請求項35に記載のデバイス。
【請求項３７】
前記処理部が、
前記サービングセル内の第1の帯域幅部分に対応するサブキャリア間隔を決定し、前記サービングセル内の第2の帯域幅部分に対応するサブキャリア間隔を決定し、前記第1の帯域幅部分に対応する前記サブキャリア間隔が前記第1のサブキャリア間隔であり、前記第2の帯域幅部分に対応する前記サブキャリア間隔が前記第2のサブキャリア間隔である
ように特に構成される、請求項35または36に記載のデバイス。
【請求項３８】
前記処理部が、前記サービングセルの前記サブキャリア間隔がΔf2である場合、前記リソースユニットの前記長さが
【数１２】
2019511879.tif 000045
であると決定し、式中、Δf2＝N2・17.5kHzであり、N2が1以上の正の整数であり、t2が1msである、ように特に構成される、請求項26に記載のデバイス。
【請求項３９】
前記処理部が、前記サービングセルの前記サブキャリア間隔に基づいて、前記サービングセルの前記リソースユニットに含まれるシンボルの前記数が16であると決定し、前記サービングセルの前記サブキャリア間隔が17.5kHzの倍数である、ように特に構成される、請求項26または38に記載のデバイス。
【請求項４０】
前記処理部が、
前記サービングセルの前記サブキャリア間隔に基づいて、前記サービングセルの前記リソースユニットに含まれるサブキャリアの前記数が16であると決定し、前記サービングセルの前記サブキャリア間隔が17.5kHzの倍数であり、または
前記サービングセルの前記サブキャリア間隔に基づいて、前記サービングセルの前記リソースユニットに含まれるサブキャリアの前記数が16の倍数であると決定する
ように特に構成される、請求項26、38、および39のいずれか一項に記載のデバイス。
【請求項４１】
前記処理部が、前記サービングセルの前記サブキャリア間隔がΔf2である場合、前記リソースユニットに含まれる前記シンボルの前記有効シンボル長が
【数１３】
2019511879.tif 000046
であると決定し、式中、Δf2＝N2・17.5kHzであり、N2が1以上の正の整数であり、Tsymbolが、前記サービングセルの前記サブキャリア間隔が17.5kHzである場合に前記リソースユニットに含まれる前記シンボルの前記有効シンボル長である、ように特に構成される、請求項26、および38から40のいずれか一項に記載のデバイス。
【請求項４２】
Tsymbolが1／17500sである、請求項41に記載のデバイス。
【請求項４３】
前記処理部が、前記サービングセルの前記サブキャリア間隔がΔf2である場合、前記リソースユニットに含まれる前記シンボルの前記サイクリックプレフィックスCP長が
【数１４】
2019511879.tif 000047
であると決定し、式中、Δf2＝N2・17.5kHzであり、N2が1以上の正の整数であり、TCPが、前記サービングセルの前記サブキャリア間隔が17.5kHzである場合に前記リソースユニットに含まれる前記シンボルの前記CP長である、ように特に構成される、請求項26、および38から42のいずれか一項に記載のデバイス。
【請求項４４】
TCPが5.36μsである、請求項43に記載のデバイス。
【請求項４５】
前記サービングセルの前記サブキャリア間隔が変動する場合、前記サービングセルの前記リソースユニット内のチャネルが同じリソース位置を占有し、かつ／もしくは前記サービングセルの前記リソースユニット内の信号が同じリソース位置を占有し、または
前記サービングセルの前記サブキャリア間隔が同じサブキャリア間隔セット内で変動する場合、前記サービングセルの前記リソースユニット内のチャネルが同じリソース位置を占有し、かつ／もしくは前記サービングセルの前記リソースユニット内の信号が同じリソース位置を占有する、請求項25から44のいずれか一項に記載のデバイス。
【請求項４６】
前記サブキャリア間隔セットに含まれるすべての異なるサブキャリア間隔が、15kHzの倍数または17.5kHzの倍数である、請求項45に記載のデバイス。
【請求項４７】
前記サブキャリア間隔セットが特定の搬送波周波数セットに対応し、異なるサブキャリア間隔セットが異なる搬送波周波数セットに対応する、請求項45または46に記載のデバイス。
【請求項４８】
前記リソースユニットの前記長さがサブフレーム長である、請求項26から47のいずれか一項に記載のデバイス。
【発明の詳細な説明】
【技術分野】
【０００１】
本出願は、通信技術に関し、特に、情報伝送方法およびデバイスに関する。
【背景技術】
【０００２】
第5世代（5-Generation、略称5G）は、より高いシステム性能、異なるサービス、異なる配備シナリオ、および異なるスペクトルをサポートする目的で作られている。
【０００３】
しかし、異なるサービス、異なる配備シナリオ、および異なるスペクトルの適用シナリオは、システムパラメータ（例えば、サブキャリア間隔や、リソースユニットのパラメータ）に関する異なる要件を有する。具体的には、5Gは複数のシステム・パラメータ・セット（numerology）をサポートする必要がある。5Gが異なるサービス、異なる配備シナリオ、および異なるスペクトルを高性能でサポートすることを可能にするために、5G通信システムにおいて複数のシステム・パラメータ・セットに基づく情報伝送をどのように行うかを解決すべきである。
【発明の概要】
【課題を解決するための手段】
【０００４】
本出願の実施態様は、複数のシステム・パラメータ・セットに基づく情報伝送を実施するように、情報伝送方法およびデバイスを提供する。
【０００５】
第1の態様によれば、本出願は情報伝送方法を提供し、本方法は、
第1のデバイスにより、サービングセルのサブキャリア間隔を決定するステップと、サービングセルのサブキャリア間隔に基づいてサービングセルのリソースユニットを決定するステップと、サービングセルのリソースユニットに基づいてサービングセル内の第2のデバイスに情報を送信し、または、サービングセルのリソースユニットに基づいてサービングセルにおいて、第2のデバイスによって送信された情報を受信するステップと
を含む。
【０００６】
第1の態様で提供される情報伝送方法によれば、第1のデバイスは、サービングセルのサブキャリア間隔をまず決定し、サービングセルのサブキャリア間隔に基づいてサービングセルのリソースユニットを決定して、サービングセルのリソースユニットに基づいてサービングセル内の第2のデバイスに情報を送信し、または、サービングセルのリソースユニットに基づいてサービングセルにおいて、第2のデバイスによって送信された情報を受信し、それによって、複数のシステム・パラメータ・セットに基づく情報伝送を実施する。
【０００７】
1つの可能な設計では、第1のデバイスにより、サービングセルのサブキャリア間隔に基づいてサービングセルのリソースユニットを決定するステップは、
第1のデバイスにより、サービングセルのサブキャリア間隔に基づいてサービングセルのリソースユニットのパラメータを決定するステップであって、リソースユニットのパラメータが、リソースユニットの長さ、リソースユニットに含まれるシンボルの数、リソースユニットに含まれるサブキャリアの数、リソースユニットに含まれるシンボルの有効シンボル長、およびリソースユニットに含まれるシンボルのサイクリックプレフィックスCP長のうちの少なくとも1つを含む、ステップ
を含む。
【０００８】
1つの可能な設計では、第1のデバイスにより、サービングセルのサブキャリア間隔に基づいて、サービングセルのリソースユニットの長さを決定するステップは、
サービングセルのサブキャリア間隔がΔf1である場合、リソースユニットの長さが
【数１】
2019511879.tif 000003
であると決定するステップであって、式中、Δf1＝N1・15kHzであり、N1が2以上の正の整数であり、t1が1msである、ステップ
を含む。
【０００９】
この実施態様で提供される情報伝送方法によれば、サービングセルのサブキャリア間隔が異なる値を有する場合にリソースユニットの長さが調整され、そのため、リソースユニットが異なるサブキャリア間隔に対応する場合にリソースユニットは同数のシンボルを含む。
【００１０】
1つの可能な設計では、第1のデバイスにより、サービングセルのサブキャリア間隔に基づいて、サービングセルのリソースユニットに含まれるシンボルの数を決定するステップは、
第1のデバイスにより、サービングセルのサブキャリア間隔に基づいて、サービングセルのリソースユニットに含まれるシンボルの数が14であると決定するステップであって、サービングセルのサブキャリア間隔が15kHzの倍数である、ステップ
を含む。
【００１１】
この実施態様で提供される情報伝送方法によれば、異なるサブキャリア間隔に対応するリソースユニットは、リソースユニットが異なるサブキャリア間隔に対応する場合、リソースユニットに含まれるシンボルの数が不変のままであるように定義され、そのため、リソースユニットが異なるシステムパラメータに対応する場合、リソースユニット内の信号および／または信号によって占有されるリソース位置は不変のままである。
【００１２】
1つの可能な設計では、第1のデバイスにより、サービングセルのサブキャリア間隔に基づいて、サービングセルのリソースユニットに含まれるサブキャリアの数を決定するステップは、
第1のデバイスにより、サービングセルのサブキャリア間隔に基づいて、サービングセルのリソースユニットに含まれるサブキャリアの数が12であると決定するステップであって、サービングセルのサブキャリア間隔が15kHzの倍数である、ステップ、または
第1のデバイスにより、サービングセルのサブキャリア間隔に基づいて、サービングセルのリソースユニットに含まれるサブキャリアの数が12の倍数であると決定するステップ
を含む。
【００１３】
この実施態様で提供される情報伝送方法によれば、サービングセルのサブキャリア間隔が異なる値を有する場合にリソースユニットの長さが調整される。したがって、リソースユニットが異なるサブキャリア間隔に対応する場合、リソースユニットに含まれるシンボルの数は同じであり、リソースユニットに含まれるサブキャリアの数は倍数関係にあり、そのため、複雑さを低減させるために、リソースユニットが異なるサブキャリア間隔に対応する場合、リソースユニットにおいて均一なチャネル設計および信号設計を使用することができる。具体的には、複雑さを低減させるために、複数のシステム・パラメータ・セットが均一なチャネル設計および信号設計を共用することができる。
【００１４】
1つの可能な設計では、第1のデバイスにより、サービングセルのサブキャリア間隔に基づいて、サービングセルのリソースユニットに含まれるシンボルの有効シンボル長を決定するステップは、
サービングセルのサブキャリア間隔がΔf1である場合、リソースユニットに含まれるシンボルの有効シンボル長が
【数２】
2019511879.tif 000004
であると決定するステップであって、式中、Δf1＝N1・15kHzであり、N1が2以上の正の整数であり、Ts＝1／（15000×2048）である、ステップ
を含む。
【００１５】
1つの可能な設計では、リソースユニットは第1のノーマルCPシンボルおよび第2のノーマルCPシンボルを含み、第1のデバイスにより、サービングセルのサブキャリア間隔に基づいて、サービングセルのリソースユニットに含まれるシンボルのサイクリックプレフィックスCP長を決定するステップは、
サービングセルのサブキャリア間隔がΔf1である場合、第1のノーマルCPシンボルの長さが
【数３】
2019511879.tif 000005
であり、第2のノーマルCPシンボルの長さが
【数４】
2019511879.tif 000006
であると決定するステップであって、式中、Δf1＝N1・15kHzであり、N1が2以上の正の整数であり、Ts＝1／（15000×2048）である、ステップ
を含む。
【００１６】
1つの可能な設計では、リソースユニットは、M1個の第1のノーマルCPシンボルおよびM2個の第2のノーマルCPシンボルを含み、M1とM2はどちらも正の整数であり、サービングセルのサブキャリア間隔が異なる値を有する場合、M1の値とM2の値は不変のままである。
【００１７】
1つの可能な設計では、M1は2であり、M2は12である。
【００１８】
1つの可能な設計では、リソースユニット内のシンボル0からシンボル（M1−1）が第1のノーマルCPシンボルであり、リソースユニット内のシンボルM1からシンボル（M1＋M2−1）が第2のノーマルCPシンボルであり、または
リソースユニット内のシンボル0およびシンボル（（M1＋M2）／2）が第1のノーマルCPシンボルであり、リソースユニット内のシンボル0およびシンボル（（M1＋M2）／2）以外のシンボルが第2のノーマルCPシンボルである。
【００１９】
1つの可能な設計では、サービングセルのサブキャリア間隔は第1のサブキャリア間隔セットに属し、第1のサブキャリア間隔セットは第1のサブキャリア間隔および第2のサブキャリア間隔を含み、第1のサブキャリア間隔と第2のサブキャリア間隔はどちらも15kHzの倍数であり、第1のサブキャリア間隔は第2のサブキャリア間隔よりも小さく、
サービングセルのサブキャリア間隔が第1のサブキャリア間隔である場合、リソースユニット内のシンボル0およびシンボル（（M1＋M2）／2）が第1のノーマルCPシンボルであり、リソースユニット内のシンボル0およびシンボル（（M1＋M2）／2）以外のシンボルが第2のノーマルCPシンボルであり、または
サービングセルのサブキャリア間隔が第2のサブキャリア間隔である場合、リソースユニット内のシンボル0からシンボル（M1−1）が第1のノーマルCPシンボルであり、リソースユニット内のシンボルM1からシンボル（M1＋M2−1）が第2のノーマルCPシンボルである。
【００２０】
1つの可能な設計では、第2のサブキャリア間隔は第1のサブキャリア間隔の2倍である。
【００２１】
この実施態様で提供される情報伝送方法によれば、リソースユニットが異なるサブキャリア間隔に対応する場合にリソースユニットは同数の第1のノーマルCPシンボルを含み、第1のノーマルCPシンボルと第2のノーマルCPシンボルとの分配は実施態様において決定される。したがって、第1のサブキャリア間隔に対応するGP境界を第2のサブキャリア間隔に対応するGP境界と整合させることができ、第1のサブキャリア間隔に対応するアップリンクシンボル境界を第2のサブキャリア間隔に対応するアップリンクシンボル境界と整合させることができ、第1のサブキャリア間隔に対応するダウンリンクシンボル境界を第2のサブキャリア間隔に対応するダウンリンクシンボル境界と整合させることができ、そのため、第1のサブキャリア間隔に対応するシステムパラメータと第2のサブキャリア間隔に対応するシステムパラメータとが効率よく共存することができ、それによってシステム性能が向上する。
【００２２】
1つの可能な設計では、第1のデバイスにより、サービングセルのサブキャリア間隔を決定するステップは、
第1のデバイスにより、サービングセル内の第1の帯域幅部分に対応するサブキャリア間隔を決定し、サービングセル内の第2の帯域幅部分に対応するサブキャリア間隔を決定するステップであって、第1の帯域幅部分に対応するサブキャリア間隔が第1のサブキャリア間隔であり、第2の帯域幅部分に対応するサブキャリア間隔が第2のサブキャリア間隔である、ステップ
を含む。
【００２３】
1つの可能な設計では、第1のデバイスにより、サービングセルのサブキャリア間隔に基づいて、サービングセルのリソースユニットの長さを決定するステップは、
サービングセルのサブキャリア間隔がΔf2である場合、リソースユニットの長さが
【数５】
2019511879.tif 000007
であると決定するステップであって、式中、Δf2＝N2・17.5kHzであり、N2が1以上の正の整数であり、t2が1msである、ステップ
を含む。
【００２４】
この実施態様で提供される情報伝送方法によれば、サービングセルのサブキャリア間隔が異なる値を有する場合にリソースユニットの長さが調整され、そのため、リソースユニットが異なるサブキャリア間隔に対応する場合にリソースユニットは同数のシンボルを含む。
【００２５】
1つの可能な設計では、第1のデバイスにより、サービングセルのサブキャリア間隔に基づいて、サービングセルのリソースユニットに含まれるシンボルの数を決定するステップは、
第1のデバイスにより、サービングセルのサブキャリア間隔に基づいて、サービングセルのリソースユニットに含まれるシンボルの数が16であると決定するステップであって、サービングセルのサブキャリア間隔が17.5kHzの倍数である、ステップ
を含む。
【００２６】
この実施態様で提供される情報伝送方法によれば、異なるサブキャリア間隔に対応するリソースユニットは、リソースユニットが異なるサブキャリア間隔に対応する場合、リソースユニットに含まれるシンボルの数が不変のままであるように定義され、そのため、リソースユニットが異なるシステムパラメータに対応する場合、リソースユニット内の信号および／または信号によって占有されるリソース位置は不変のままである。
【００２７】
1つの可能な設計では、第1のデバイスにより、サービングセルのサブキャリア間隔に基づいて、サービングセルのリソースユニットに含まれるサブキャリアの数を決定するステップは、
第1のデバイスにより、サービングセルのサブキャリア間隔に基づいて、サービングセルのリソースユニットに含まれるサブキャリアの数が16であると決定するステップであって、サービングセルのサブキャリア間隔が17.5kHzの倍数である、ステップ、または
第1のデバイスにより、サービングセルのサブキャリア間隔に基づいて、サービングセルのリソースユニットに含まれるサブキャリアの数が16の倍数であると決定するステップ
を含む。
【００２８】
この実施態様で提供される情報伝送方法によれば、サービングセルのサブキャリア間隔が異なる値を有する場合にリソースユニットの長さが調整される。したがって、リソースユニットが異なるサブキャリア間隔に対応する場合、リソースユニットに含まれるシンボルの数は同じであり、リソースユニットに含まれるサブキャリアの数は倍数関係にあり、そのため、複雑さを低減させるために、リソースユニットが異なるサブキャリア間隔に対応する場合、リソースユニットにおいて均一なチャネル設計および信号設計を使用することができる。具体的には、複雑さを低減させるために、複数のシステム・パラメータ・セットが均一なチャネル設計および信号設計を共用することができる。
【００２９】
1つの可能な設計では、第1のデバイスにより、サービングセルのサブキャリア間隔に基づいて、サービングセルのリソースユニットに含まれるシンボルの有効シンボル長を決定するステップは、
サービングセルのサブキャリア間隔がΔf2である場合、リソースユニットに含まれるシンボルの有効シンボル長が
【数６】
2019511879.tif 000008
であると決定するステップであって、式中、Δf2＝N2・17.5kHzであり、N2が1以上の正の整数であり、Tsymbolが、サービングセルのサブキャリア間隔が17.5kHzである場合にリソースユニットに含まれるシンボルの有効シンボル長である、ステップ
を含む。
【００３０】
1つの可能な設計では、Tsymbolは1／17500sである。
【００３１】
1つの可能な設計では、第1のデバイスにより、サービングセルのサブキャリア間隔に基づいて、サービングセルのリソースユニットに含まれるシンボルのサイクリックプレフィックスCP長を決定するステップは、
サービングセルのサブキャリア間隔がΔf2である場合、リソースユニットに含まれるシンボルのサイクリックプレフィックスCP長が
【数７】
2019511879.tif 000009
であると決定するステップであって、式中、Δf2＝N2・17.5kHzであり、N2が1以上の正の整数であり、TCPが、サービングセルのサブキャリア間隔が17.5kHzである場合にリソースユニットに含まれるシンボルのCP長さである、ステップ
を含む。
【００３２】
1つの可能な設計では、TCPは5.36μsである。
【００３３】
1つの可能な設計では、サービングセルのサブキャリア間隔が変動する場合、サービングセルのリソースユニット内のチャネルが同じリソース位置を占有し、かつ／もしくはサービングセルのリソースユニット内の信号が同じリソース位置を占有し、または
サービングセルのサブキャリア間隔が同じサブキャリア間隔セット内で変動する場合、サービングセルのリソースユニット内のチャネルが同じリソース位置を占有し、かつ／もしくはサービングセルのリソースユニット内の信号が同じリソース位置を占有する。
【００３４】
1つの可能な設計では、サブキャリア間隔セットに含まれるすべての異なるサブキャリア間隔が15kHzの倍数または17.5kHzの倍数である。
【００３５】
1つの可能な設計では、サブキャリア間隔セットは特定の搬送波周波数セットに対応し、異なるサブキャリア間隔セットは異なる搬送波周波数セットに対応する。
【００３６】
1つの可能な設計では、リソースユニットの長さはサブフレーム長である。
【００３７】
1つの可能な設計では、第1のデバイスにより、サービングセルのサブキャリア間隔を決定するステップは、
第1のデバイスにより、サービングセルの搬送波周波数を決定し、搬送波周波数に基づいてサービングセルのサブキャリア間隔を決定するステップ
を含む。
【００３８】
1つの可能な設計では、第1のデバイスにより、サービングセルのサブキャリア間隔を決定するステップは、
第1のデバイスにより、サービングセルに対応する搬送波周波数セットを決定し、搬送波周波数セットに基づいて、サービングセルに対応するサブキャリア間隔セットを決定するステップと、
第1のデバイスにより、サービングセルに対応するサブキャリア間隔セットに基づいてサービングセルのサブキャリア間隔を決定するステップと
を含む。
【００３９】
第2の態様によれば、本出願の一実施態様はデバイスをさらに提供し、本デバイスは第1のデバイスであり、本デバイスは、
サービングセルのサブキャリア間隔を決定し、サービングセルのサブキャリア間隔に基づいてサービングセルのリソースユニットを決定するように構成された処理部と、
処理部によって決定されたサービングセルのリソースユニットに基づいてサービングセル内の第2のデバイスに情報を送信し、または、処理部によって決定されたサービングセルのリソースユニットに基づいてサービングセルにおいて、第2のデバイスによって送信された情報を受信するように構成された送受信部と
を含む。
【００４０】
1つの可能な設計では、処理部は、サービングセルのサブキャリア間隔に基づいてサービングセルのリソースユニットのパラメータを決定し、リソースユニットのパラメータが、リソースユニットの長さ、リソースユニットに含まれるシンボルの数、リソースユニットに含まれるサブキャリアの数、リソースユニットに含まれるシンボルの有効シンボル長、およびリソースユニットに含まれるシンボルのサイクリックプレフィックスCP長のうちの少なくとも1つを含む、ように特に構成される。
【００４１】
1つの可能な設計では、処理部は、サービングセルのサブキャリア間隔がΔf1である場合、リソースユニットの長さが
【数８】
2019511879.tif 000010
であると決定し、式中、Δf1＝N1・15kHzであり、N1が2以上の正の整数であり、t1が1msである、ように特に構成される。
【００４２】
1つの可能な設計では、処理部は、サービングセルのサブキャリア間隔に基づいて、サービングセルのリソースユニットに含まれるシンボルの数が14であると決定し、サービングセルのサブキャリア間隔が15kHzの倍数である、ように特に構成される。
【００４３】
1つの可能な設計では、処理部は、
サービングセルのサブキャリア間隔に基づいて、サービングセルのリソースユニットに含まれるサブキャリアの数が12であると決定し、サービングセルのサブキャリア間隔が15kHzの倍数であり、または
サービングセルのサブキャリア間隔に基づいて、サービングセルのリソースユニットに含まれるサブキャリアの数が12の倍数であると決定する
ように特に構成される。
【００４４】
1つの可能な設計では、処理部は、サービングセルのサブキャリア間隔がΔf1である場合、リソースユニットに含まれるシンボルの有効シンボル長が
【数９】
2019511879.tif 000011
であると決定し、式中、Δf1＝N1・15kHzであり、N1が2以上の正の整数であり、Ts＝1／（15000×2048）である、ように特に構成される。
【００４５】
1つの可能な設計では、リソースユニットは第1のノーマルCPシンボルおよび第2のノーマルCPシンボルを含み、処理部は、
サービングセルのサブキャリア間隔がΔf1である場合、第1のノーマルCPシンボルの長さが
【数１０】
2019511879.tif 000012
であり、第2のノーマルCPシンボルの長さが
【数１１】
2019511879.tif 000013
であると決定し、式中、Δf1＝N1・15kHzであり、N1が2以上の正の整数であり、Ts＝1／（15000×2048）である、
ように特に構成される。
【００４６】
1つの可能な設計では、リソースユニットは、M1個の第1のノーマルCPシンボルおよびM2個の第2のノーマルCPシンボルを含み、M1とM2はどちらも正の整数であり、サービングセルのサブキャリア間隔が異なる値を有する場合、M1の値とM2の値は不変のままである。
【００４７】
1つの可能な設計では、M1は2であり、M2は12である。
【００４８】
1つの可能な設計では、リソースユニット内のシンボル0からシンボル（M1−1）が第1のノーマルCPシンボルであり、リソースユニット内のシンボルM1からシンボル（M1＋M2−1）が第2のノーマルCPシンボルであり、または
リソースユニット内のシンボル0およびシンボル（（M1＋M2）／2）が第1のノーマルCPシンボルであり、リソースユニット内のシンボル0およびシンボル（（M1＋M2）／2）以外のシンボルが第2のノーマルCPシンボルである。
【００４９】
1つの可能な設計では、サービングセルのサブキャリア間隔は第1のサブキャリア間隔セットに属し、第1のサブキャリア間隔セットは第1のサブキャリア間隔および第2のサブキャリア間隔を含み、第1のサブキャリア間隔と第2のサブキャリア間隔はどちらも15kHzの倍数であり、第1のサブキャリア間隔は第2のサブキャリア間隔よりも小さく、
サービングセルのサブキャリア間隔が第1のサブキャリア間隔である場合、リソースユニット内のシンボル0およびシンボル（（M1＋M2）／2）が第1のノーマルCPシンボルであり、リソースユニット内のシンボル0およびシンボル（（M1＋M2）／2）以外のシンボルが第2のノーマルCPシンボルであり、または
サービングセルのサブキャリア間隔が第2のサブキャリア間隔である場合、リソースユニット内のシンボル0からシンボル（M1−1）が第1のノーマルCPシンボルであり、リソースユニット内のシンボルM1からシンボル（M1＋M2−1）が第2のノーマルCPシンボルである。
【００５０】
1つの可能な設計では、第2のサブキャリア間隔は第1のサブキャリア間隔の2倍である。
【００５１】
1つの可能な設計では、処理部は、サービングセル内の第1の帯域幅部分に対応するサブキャリア間隔を決定し、サービングセル内の第2の帯域幅部分に対応するサブキャリア間隔を決定し、第1の帯域幅部分に対応するサブキャリア間隔が第1のサブキャリア間隔であり、第2の帯域幅部分に対応するサブキャリア間隔が第2のサブキャリア間隔である、ように特に構成される。
【００５２】
1つの可能な設計では、処理部は、サービングセルのサブキャリア間隔がΔf2である場合、リソースユニットの長さが
【数１２】
2019511879.tif 000014
であると決定し、式中、Δf2＝N2・17.5kHzであり、N2が1以上の正の整数であり、t2が1msである、ように特に構成される。
【００５３】
1つの可能な設計では、処理部は、サービングセルのサブキャリア間隔に基づいて、サービングセルのリソースユニットに含まれるシンボルの数が16であると決定し、サービングセルのサブキャリア間隔が17.5kHzの倍数である、ように特に構成される。
【００５４】
1つの可能な設計では、処理部は、
サービングセルのサブキャリア間隔に基づいて、サービングセルのリソースユニットに含まれるサブキャリアの数が16であると決定し、サービングセルのサブキャリア間隔が17.5kHzの倍数であり、または
サービングセルのサブキャリア間隔に基づいて、サービングセルのリソースユニットに含まれるサブキャリアの数が16の倍数であると決定する
ように特に構成される。
【００５５】
1つの可能な設計では、処理部は、サービングセルのサブキャリア間隔がΔf2である場合、リソースユニットに含まれるシンボルの有効シンボル長が
【数１３】
2019511879.tif 000015
であると決定し、式中、Δf2＝N2・17.5kHzであり、N2が1以上の正の整数であり、Tsymbolが、サービングセルのサブキャリア間隔が17.5kHzである場合にリソースユニットに含まれるシンボルの有効シンボル長である、ように特に構成される。
【００５６】
1つの可能な設計では、Tsymbolは1／17500sである。
【００５７】
1つの可能な設計では、処理部は、サービングセルのサブキャリア間隔がΔf2である場合、リソースユニットに含まれるシンボルのサイクリックプレフィックスCP長が
【数１４】
2019511879.tif 000016
であると決定し、式中、Δf2＝N2・17.5kHzであり、N2が1以上の正の整数であり、TCPが、サービングセルのサブキャリア間隔が17.5kHzである場合にリソースユニットに含まれるシンボルのCP長である、ように特に構成される。
【００５８】
1つの可能な設計では、TCPは5.36μsである。
【００５９】
1つの可能な設計では、サービングセルのサブキャリア間隔が変動する場合、サービングセルのリソースユニット内のチャネルが同じリソース位置を占有し、かつ／もしくはサービングセルのリソースユニット内の信号が同じリソース位置を占有し、または
サービングセルのサブキャリア間隔が同じサブキャリア間隔セット内で変動する場合、サービングセルのリソースユニット内のチャネルが同じリソース位置を占有し、かつ／もしくはサービングセルのリソースユニット内の信号が同じリソース位置を占有する。
【００６０】
1つの可能な設計では、サブキャリア間隔セットに含まれるすべての異なるサブキャリア間隔が15kHzの倍数または17.5kHzの倍数である。
【００６１】
1つの可能な設計では、サブキャリア間隔セットは特定の搬送波周波数セットに対応し、異なるサブキャリア間隔セットは異なる搬送波周波数セットに対応する。
【００６２】
1つの可能な設計では、リソースユニットの長さはサブフレーム長である。
【００６３】
第2の態様および第2の態様のすべての可能な実施態様で提供される情報伝送方法の有益な効果については、第1の態様および第1の態様のすべての可能な実施態様の有益な効果を参照されたく、ここでは詳細を繰り返さない。
【図面の簡単な説明】
【００６４】
【図１】本出願による情報伝送方法の方法実施形態1の概略流れ図である。
【図２】第1のノーマルCPシンボルおよび第2のノーマルCPシンボルの分配の概略図1である。
【図３】第1のノーマルCPシンボルおよび第2のノーマルCPシンボルの分配の概略図2である。
【図４】本出願によるデバイスの実施形態1の概略構造図である。
【図５】本出願によるデバイスの実施形態2の概略構造図である。
【発明を実施するための形態】
【００６５】
本出願の実施形態でいうユーザ機器は、携帯電話やタブレットコンピュータなどの無線端末であってよい。無線端末は、ユーザに音声サービスおよび／またはデータサービスを提供するデバイスを含む。任意選択で、デバイスは、無線接続機能を備えたハンドヘルドデバイスや、無線モデムに接続された別の処理デバイスであってもよい。加えて、無線端末は、無線アクセスネットワーク（RAN、Radio Access Network）を介して1つまたは複数のコアネットワークと通信する。例えば、無線端末は、特に、携帯電話（「セルラー」電話ともいう）や移動端末を備えたコンピュータなどの移動端末であってもよい。移動端末を備えたコンピュータは、可搬式、ポケットサイズ、ハンドヘルド、またはコンピュータ内蔵式のモバイル装置であっても、コアネットワークを音声および／またはデータを交換することができる車載モバイル装置であってもよい。例えば、無線端末は、パーソナル通信サービス（Personal Communication Service、略称PCS）電話機、コードレス電話セット、セッション開始プロトコル（SIP）電話機、ワイヤレス・ローカル・ループ（Wireless Local Loop、略称WLL）局、携帯情報端末（Personal Digital Assistant、略称PDA）などのデバイスであってもよい。無線端末は、システム、加入者ユニット（Subscriber Unit）、加入者局（Subscriber Station）、移動局（Mobile Station）、移動局（Mobile）、リモート局（Remote Station）、アクセスポイント（Access Point）、リモート端末（Remote Terminal）、アクセス端末（Access Terminal）、ユーザ端末（User Terminal）、ユーザエージェント（User Agent）、ユーザデバイス（User Device）、またはユーザ機器（User Equipment）とも呼ばれうる。本出願の実施形態におけるユーザ機器は、V2X（Vehicle to X）通信における車両などであってもよい。
【００６６】
本出願の実施形態でいうネットワークデバイスは、セルラー通信ネットワーク内のネットワーク任意のデバイス、例えば（アクセスポイントなどの）基地局であってよく、基地局は、アクセスネットワーク内の、1つまたは複数のセクタを使用してエアインターフェース上で無線端末と通信するデバイスであってよい。基地局は、受信した無線通信経由のフレームをIPパケットに変換し、またはIPパケットを受信した無線通信経由のフレームに変換し、無線端末とアクセスネットワークの残りの部分との間のルータとして働くように構成されうる。アクセスネットワークの残りの部分はインターネットプロトコル（IP）ネットワークを含みうる。基地局は、エアインターフェースの属性管理をさらに調整しうる。例えば、基地局は、GSM（登録商標）またはCDMAにおける基地局（Base Transceiver Station、略称BTS）であってもよく、WCDMA（登録商標）におけるノードB（NodeB）であってもよく、LTEにおける進化型ノードB（NodeB、eNB、またはe-NodeB、evolutional Node B）であってもよい。これについては本出願の実施形態では限定されない。本出願の実施形態におけるネットワークデバイスは、本出願の実施形態におけるユーザ機器に類似したD2D（Device to Device）通信内の端末デバイスであってもよく、V2X（Vehicle to X）通信における車両などであってもよい。
【００６７】
本出願における第1のデバイスおよび第2のデバイスは、ネットワークデバイスであってもよく、ユーザ機器であってもよい。第1のデバイスがネットワークデバイスである場合、本出願の第2のデバイスはユーザ機器であり、または第1のデバイスがユーザ機器である場合、本出願の第2のデバイスはネットワークデバイスである。
【００６８】
本出願の実施形態で提供される情報伝送方法は、5G通信システムのユーザ機器およびネットワークデバイス、ロング・ターム・エボリューション（Long Term Evolution、略称LTE）通信システム、ならびにLTE通信システムのユーザ機器およびネットワークデバイスに適用されうる。本明細書に記載されるネットワークデバイスは、少なくとも1つのサービングセルを含みうる。当然ながら、本出願の実施形態における情報伝送方法は、前述の適用シナリオを含むが、これに限定されない。本出願の実施形態で提供される情報伝送方法は、サービングセルが複数のシステム・パラメータ・セットをサポートするあらゆるシナリオで使用することができる。
【００６９】
5Gは、より高いシステム性能、異なるサービス、異なる配備シナリオ、および異なるスペクトルをサポートする目的で作られている。（a）様々なサービスには、高度モバイルブロードバンド（enhanced Mobile Broadband、略称eMBB）、マシン・タイプ・コミュニケーション（Machine Type Communication、略称MTC）、高信頼・低遅延通信（Ultra-reliable and low latency communications、略称URLLC）、マルチメディア・ブロードキャスト・マルチキャスト・サービス（Multimedia Broadcast Multicast Service、略称MBMS）、位置決定などが含まれる。（b）様々な配備シナリオには、屋内ホットスポット（Indoor hotspot）シナリオ、密集市街地（dense urban）シナリオ、郊外シナリオ、市街地マクロ（Urban Macro）カバレッジシナリオ、高速鉄道シナリオなどが含まれる。（c）5Gは最大100GHzのスペクトル範囲をサポートし、プライマリ周波数帯域は6GHz以下であり、セカンダリ周波数帯域は6GHzより大である。
【００７０】
異なるサービス、異なる配備シナリオ、および異なるスペクトルの適用シナリオは、システムパラメータ（例えば、サブキャリア間隔や、リソースユニットや、リソース・ユニット・パラメータ）に関する異なる要件を有する。具体的には、5Gは複数のシステム・パラメータ・セット（numerology）をサポートする必要がある。5Gが異なるサービス、異なる配備シナリオ、および異なるスペクトルを高性能でサポートすることを可能にするために、5G通信システムにおいて複数のシステム・パラメータ・セットに基づく情報伝送をどのように行うかを解決すべきである。
【００７１】
本出願の実施形態では、異なるサービス、異なる配備シナリオ、および異なる空間について、第1のデバイスは、サービングセルのサブキャリア間隔をまず決定し、サービングセルのサブキャリア間隔に基づいてサービングセルのリソースユニットを決定して、決定されたリソースユニットに基づいてサービングセル内の第2のデバイスに情報を送信し、または、決定されたリソースユニットに基づいてサービングセルにおいて、第2のデバイスによって送信された情報を受信するようにする。第1のデバイスは、システムパラメータに基づいて情報伝送を行うように、適用シナリオに基づく複数のシステム・パラメータ・セットから、適用シナリオに対応するシステムパラメータ（サブキャリア間隔やリソースユニットなど）を決定することができることが分かる。
【００７２】
図1は、本出願による情報伝送方法の実施形態1の概略流れ図である。本出願の本実施形態は、シングル・キャリア・システムおよび／またはマルチキャリアシステムに適用されうる。図1に示すように、本実施形態の方法は以下のステップを含みうる。
【００７３】
S101．第1のデバイスが、サービングセルのサブキャリア間隔を決定する。
【００７４】
このステップで、第1のデバイスは、サブキャリア間隔に基づいてサービングセルのリソースユニットを決定するように、サービングセルのサブキャリア間隔を決定する。本出願の本実施形態における「サービングセル」は、ネットワーク側デバイスによってユーザ機器のために構成されたサービングセル、またはユーザ機器にサービスするサービングセル、またはユーザ機器によってアクセスされるサービングセルであってよい。本出願の本実施形態における「サービングセル」は、ユーザ機器のプライマリ・サービング・セル（Primary serving cell）またはユーザ機器のセカンダリ・サービング・セル（Secondary serving cell）であってよい。任意選択で、第1のデバイスがネットワークデバイスである場合、このステップは特に、ネットワークデバイスが、ユーザ機器のサービングセルのサブキャリア間隔を決定するステップであってもよく、または第1のデバイスがユーザ機器である場合、このステップは特に、ユーザ機器が、サービングセルのサブキャリア間隔を決定するステップであってもよい。
【００７５】
任意選択で、第1のデバイスは、サービングセルのサブキャリア間隔を、搬送波周波数とサブキャリア間隔との間の対応関係、搬送波周波数セットとサブキャリア間隔セットとの間の対応関係などに基づいて決定してもよい。当然ながら、第1のデバイスは、別の方法でサービングセルのサブキャリア間隔を決定してもよい。本出願の本実施形態はこれを限定しない。任意選択で、サービングセルのサブキャリア間隔は、15kHzの倍数、17.5kHzの倍数、または16.875kHzの倍数であってよい。当然ながら、サービングセルのサブキャリア間隔は別の値であってもよい。本出願の本実施形態はこれを限定しない。
【００７６】
S102．第1のデバイスは、サービングセルのサブキャリア間隔に基づいてサービングセルのリソースユニットを決定する。
【００７７】
このステップでは、第1のデバイスは、サービングセルのサブキャリア間隔に基づいて、サブキャリア間隔に対応するリソースユニットを決定する。任意選択で、第1のデバイスは、サービングセルのサブキャリア間隔に基づいてサービングセルのリソースユニットのパラメータを決定し、リソースユニットのパラメータに基づいてサービングセルのリソースユニットを決定する。リソースユニットのパラメータは、リソースユニットの長さ、リソースユニットに含まれるシンボルの数、リソースユニットに含まれるサブキャリアの数、リソースユニットに含まれるシンボルの有効シンボル長、およびリソースユニットに含まれるシンボルのサイクリックプレフィックス（Cyclic Prefix、略称CP）長のうちの少なくとも1つを含む。任意選択で、リソースユニットのパラメータは、他の情報をさらに含んでいてもよい。本出願の本実施形態はこれを限定しない。本出願の本実施形態では、リソースユニットは、特定の期間における特定の周波数領域幅の時間周波数リソースであってよい。
【００７８】
S103．第1のデバイスは、サービングセルのリソースユニットに基づいてサービングセル内の第2のデバイスに情報を送信し、または、サービングセルのリソースユニットに基づいてサービングセルにおいて、第2のデバイスによって送信された情報を受信する。
【００７９】
このステップでは、第1のデバイスは、ステップS102で決定されたサービングセルのリソースユニットに基づいてサービングセル内の第2のデバイスに情報を送信し、または、ステップS102で決定されたサービングセルのリソースユニットに基づいてサービングセルにおいて、第2のデバイスによって送信された情報を受信する。
【００８０】
任意選択で、第1のデバイスがネットワークデバイスである場合、このステップは、ネットワークデバイスが、サービングセルのリソースユニットに基づいてサービングセル内のユーザ機器に情報を送信するステップ、であってもよい。任意選択で、情報は、ダウンリンクデータ、ダウンリンク制御情報、およびダウンリンク参照信号のうちの少なくとも1つであってもよい。あるいは、このステップは、サービングセルのリソースユニットに基づいてサービングセル内のネットワークデバイスが、ユーザ機器によって送信された情報を受信するステップ、であってもよい。任意選択で、情報は、アップリンクデータまたはアップリンク制御情報のうちの少なくとも1つであってもよい。
【００８１】
任意選択で、第1のデバイスがユーザ機器である場合、このステップは、ユーザ機器が、サービングセルのリソースユニットに基づいてサービングセル内のネットワークデバイスに情報を送信するステップ、であってもよい。任意選択で、情報は、アップリンクデータまたはアップリンク制御情報のうちの少なくとも1つであってもよい。あるいは、このステップは、サービングセルのリソースユニットに基づいてサービングセル内のユーザ機器が、ネットワークデバイスによって送信された情報を受信するステップ、であってもよい。任意選択で、情報は、ダウンリンクデータ、ダウンリンク制御情報、およびダウンリンク参照信号のうちの少なくとも1つであってもよい。
【００８２】
当然ながら、第1のデバイスと第2のデバイスとの間で送信される情報は、前述のコンテンツを含むのみならず、他のコンテンツを含んでいてもよい。本出願の本実施形態はこれを限定しない。
【００８３】
本出願の本実施形態では、サービングセルのサブキャリア間隔は、異なるサービス、異なる配備シナリオ、および異なる空間について異なりうる。第1のデバイスは、サービングセルのサブキャリア間隔をまず決定し、サービングセルのサブキャリア間隔に基づいてサービングセルのリソースユニットを決定する。さらに、第1のデバイスは、サービングセルのリソースユニットに基づいてサービングセル内の第2のデバイスに情報を送信し、または、サービングセルのリソースユニットに基づいてサービングセルにおいて、第2のデバイスによって送信された情報を受信する。このようにして、情報伝送が複数のシステム・パラメータ・セットに基づいて実施される。
【００８４】
本出願の情報伝送方法の実施形態2では、サービングセルのサブキャリア間隔が15kHzの倍数であるプロセスについて、前述の実施形態に基づいて詳細に説明する。
【００８５】
本出願の本実施形態では、任意選択で、ステップS101は、少なくとも以下のように実施されうる。
【００８６】
第1の可能な実施態様において、第1のデバイスは、サービングセルの搬送波周波数を決定し、搬送波周波数に基づいてサービングセルのサブキャリア間隔を決定する。
【００８７】
本出願の本実施形態では、第1のデバイスがサービングセルの搬送波周波数を決定すると、第1のデバイスは、搬送波周波数とサブキャリア間隔との間の事前設定対応関係に基づいて、サービングセルの搬送波周波数に対応するサブキャリア間隔を決定する。例えば、搬送波周波数とサブキャリア間隔との間の事前設定対応関係は以下であってもよい。搬送波周波数が3GHz以下である場合、サブキャリア間隔は15kHzであり、または搬送波周波数が3GHz超6GHz以下である場合、サブキャリア間隔は30kHzである。
【００８８】
第2の可能な実施態様において、第1のデバイスは、サービングセルに対応する搬送波周波数セットを決定し、搬送波周波数セットに基づいて、サービングセルに対応するサブキャリア間隔セットを決定する。
【００８９】
第1のデバイスは、サービングセルに対応するサブキャリア間隔セットに基づいてサービングセルのサブキャリア間隔を決定する。
【００９０】
本出願の本実施形態では、第1のデバイスがサービングセルに対応する搬送波周波数セットを決定すると、第1のデバイスは、サブキャリア間隔セットに基づいてサービングセルのサブキャリア間隔を決定するように、搬送波周波数とサブキャリア間隔セットとの間の事前設定対応関係に基づいて、サービングセルの搬送波周波数セットに対応するサブキャリア間隔セットを決定する。
【００９１】
例えば、搬送波周波数セットとサブキャリア間隔セットとの間の対応関係は以下であってもよい。
【００９２】
サービングセルに対応する搬送波周波数セットに含まれる搬送波周波数が6GHz以下である場合、サービングセルに対応するサブキャリア間隔セットは、サブキャリア間隔1およびサブキャリア間隔2を含む。任意選択で、サブキャリア間隔1は15kHzであり、サブキャリア間隔2は30kHzである。
【００９３】
あるいは、サービングセルに対応する搬送波周波数セットに含まれる搬送波周波数が6GHz超40GHz以下である場合、サービングセルに対応するサブキャリア間隔セットは、サブキャリア間隔2およびサブキャリア間隔3を含む。任意選択で、サブキャリア間隔2は30kHzであり、サブキャリア間隔3は60kHzである。
【００９４】
あるいは、サービングセルに対応する搬送波周波数セットに含まれる搬送波周波数が40GHz超80GHz以下である場合、サービングセルに対応するサブキャリア間隔セットは、サブキャリア間隔4およびサブキャリア間隔5を含む。任意選択で、サブキャリア間隔4は60kHzであり、サブキャリア間隔5は120kHzである。
【００９５】
あるいは、サービングセルに対応する搬送波周波数セットに含まれる搬送波周波数が80GHz超である場合、サービングセルに対応するサブキャリア間隔セットは、サブキャリア間隔6およびサブキャリア間隔7を含む。任意選択で、サブキャリア間隔6は120kHzであり、サブキャリア間隔7は240kHzである。
【００９６】
当然ながら、搬送波周波数セットとサブキャリア間隔セットとの間の対応関係は単なる一例にすぎない。本出願の本実施形態では、搬送波周波数セットとサブキャリア間隔セットとの間の対応関係は別の形であってもよい。本出願の本実施形態はこれを限定しない。
【００９７】
5G通信システムは、異なるサービス、異なる配備シナリオ、および異なるスペクトルの要件を満たす必要がある。異なるサービスおよび異なるシナリオが同じサービングセルでサポートされる場合、同じサービングセルにおける異なるシステムパラメータの共存がサポートされる必要がある。この場合には、同じサービングセルの異なる帯域幅部分が異なるサブキャリア間隔をサポートする。これに対応して、第1のデバイスは、サービングセルの異なる帯域幅部分に対応するサブキャリア間隔をそれぞれ決定する。
【００９８】
任意選択で、サービングセルのサブキャリア間隔は第1のサブキャリア間隔セットに属し、第1のサブキャリア間隔セットは、第1のサブキャリア間隔および第2のサブキャリア間隔を含む。第1のサブキャリア間隔と第2のサブキャリア間隔はどちらも15kHzの倍数であり、第1のサブキャリア間隔は第2のサブキャリア間隔より小さい。任意選択で、第2のサブキャリア間隔は第1のサブキャリア間隔の2倍である。任意選択で、ステップS101は、第1のデバイスが、サービングセル内の第1の帯域幅部分に対応するサブキャリア間隔を決定し、サービングセル内の第2の帯域幅部分に対応するサブキャリア間隔を決定するステップ、を含んでいてもよい。第1の帯域幅部分に対応するサブキャリア間隔は第1のサブキャリア間隔であり、第2の帯域幅部分に対応するサブキャリア間隔は第2のサブキャリア間隔である。第1の帯域幅部分が占有する周波数リソースは、第2の帯域幅部分が占有する周波数リソースと異なる。サービングセルの異なる帯域幅部分に異なるサブキャリア間隔が配備され、そのため、異なる適用シナリオのユーザに、よりマッチしたサブキャリア間隔を使用して同時にサービスすることができ、それによってシステム性能が向上する。例えば、（a）大きな遅延スプレッドを有するユーザ機器の場合、ユーザ機器は、第1のサブキャリア間隔に対応する帯域幅部分にスケジュールされてよく、（b）高速のユーザ機器の場合、ユーザ機器は、第2のサブキャリア間隔に対応する帯域幅部分にスケジュールされてよい。任意選択で、搬送波周波数が6GHz以下である場合、対応する第1のサブキャリア間隔セットは、15kHzおよび30kHzを含むことができ、30kHzは最大500km／時の高速シナリオで使用され、15kHzは遅延スプレッドが最大約5usまでのシナリオで使用されうる。
【００９９】
本出願の本実施形態のステップS102では、任意選択で、第1のデバイスは、サービングセルのサブキャリア間隔に基づいてサービングセルのリソースユニットのパラメータを決定し、リソースユニットのパラメータに基づいてサービングセルのリソースユニットを決定してもよい。リソースユニットのパラメータは、リソースユニットの長さ、リソースユニットに含まれるシンボルの数、リソースユニットに含まれるサブキャリアの数、リソースユニットに含まれるシンボルの有効シンボル長、およびリソースユニットに含まれるシンボルのサイクリックプレフィックスCP長のうちの少なくとも1つを含む。
【０１００】
任意選択で、第1のデバイスが、サービングセルのサブキャリア間隔に基づいてサービングセルのリソースユニットの長さを決定するステップは、
サービングセルのサブキャリア間隔がΔf1である場合、リソースユニットの長さが
【数１５】
2019511879.tif 000017
であると決定するステップであって、式中、Δf1＝N1・15kHzであり、N1が2以上の正の整数であり、またはN1が1以上の正の整数であり、t1が1msまたは0.5msである、ステップ
を含む。任意選択で、リソースユニットの長さは、サブフレーム長またはタイムスロット長であってもよい。任意選択で、リソースユニットの長さがサブフレーム長である場合、t1は1msであり、またはリソースユニットの長さがタイムスロット長である場合、t1は0.5msである。例えば、Δf1＝30kHzであり、t1が1msである場合、リソースユニットの長さは0.5msである。具体的には、サービングセルのサブキャリア間隔が30kHzである場合、サービングセルのサブフレーム長は0.5msである。詳細については、表1を参照されたい（表1はリソースユニットのパラメータテーブルである）。上記は例にすぎない。表1に、サブキャリア間隔が異なる値を有する場合のリソースユニットの長さをさらに示す。サービングセルのサブキャリア間隔が異なる値を有する場合にリソースユニットの長さが調整され、そのため、リソースユニットが異なるサブキャリア間隔に対応する場合にリソースユニットは同数のシンボルを含むことが分かる。表1の値は単なる一例であり、丸めた値であることに留意されたい。例えば、本実施形態における有効シンボル長およびCP長は、表1の値に近似していてもよい。加えて、表1のパラメータ間の相互依存性は限定されない。
【０１０１】
【表１】
2019511879.tif 000018
【０１０２】
任意選択で、サービングセルのサブキャリア間隔に基づいて第1のデバイスが、サービングセルのリソースユニットに含まれるシンボルの数を決定するステップは、
サービングセルのサブキャリア間隔に基づいて第1のデバイスが、サービングセルのリソースユニットに含まれるシンボルの数が14であると決定するステップであって、サービングセルのサブキャリア間隔が15kHzの倍数である、ステップ
を含む。
【０１０３】
本出願の本実施形態では、異なるサブキャリア間隔に対応するリソースユニットは、リソースユニットが異なるサブキャリア間隔に対応する場合、リソースユニットに含まれるシンボルの数が不変のままであるように定義され、そのため、リソースユニットが異なるシステムパラメータに対応する場合、リソースユニット内の信号および／または信号によって占有されるリソース位置は不変のままである。
【０１０４】
任意選択で、本出願の本実施形態における「リソースユニットに含まれるシンボル」は、リソースユニットに含まれる時間領域シンボル、例えば、直交周波数分割多重化（Orthogonal Frequency Division Multiplexing、略称OFDM）シンボルや、シングルキャリア周波数分割多元接続（Single Carrier Frequency Division Multiple Access、略称SC-FDMA）シンボルであってもよい。任意選択で、リソースユニットに含まれるシンボルは、シンボル番号を有していてもよい。リソースユニット内の第1のシンボルの番号は0であり、すなわち、リソースユニット内の第1のシンボルはシンボル0であり、同様に、リソースユニット内の第Xのシンボルはリソースユニット内のシンボル（X−1）である。
【０１０５】
任意選択で、サービングセルのサブキャリア間隔に基づいて第1のデバイスが、サービングセルのリソースユニットに含まれるサブキャリアの数を決定するステップは、
サービングセルのサブキャリア間隔に基づいて第1のデバイスが、サービングセルのリソースユニットに含まれるサブキャリアの数が12であると決定するステップであって、サービングセルのサブキャリア間隔が15kHzの倍数である、ステップ、または
サービングセルのサブキャリア間隔に基づいて第1のデバイスが、サービングセルのリソースユニットに含まれるサブキャリアの数が12の倍数であると決定するステップ
を含む。
【０１０６】
本出願の本実施形態では、異なるサブキャリア間隔に対応するリソースユニットは、リソースユニットが異なるサブキャリア間隔に対応する場合、リソースユニットに含まれるシンボルの数が不変のままであるように定義される。例えば、サブキャリアの数は12である。あるいは、サービングセルのサブキャリア間隔が異なる値を有する場合、サブキャリア間隔に対応するリソースユニットに含まれるセカンダリキャリアの数はS1の倍数である。例えば、S1は12であってもよい（例えば、サービングセルのサブキャリア間隔が15kHzである場合、リソースユニットは12のサブキャリアを含む）。
【０１０７】
本出願の本実施形態では、シンボルの長さは、シンボルのCP長およびシンボルの有効シンボル長を含む。任意選択で、サービングセルのサブキャリア間隔に基づいて第1のデバイスが、サービングセルのリソースユニットに含まれるシンボルの有効シンボル長を決定するステップは、
サービングセルのサブキャリア間隔がΔf1である場合、リソースユニットの有効シンボル長が
【数１６】
2019511879.tif 000019
であると決定するステップであって、式中、Δf1＝N1・15kHzであり、N1が2以上の正の整数であり、またはN1が1以上の正の整数であり、Ts＝1／（15000×2048）である、ステップ
を含む。例えば、表1に、サブキャリア間隔が異なる値を有する場合にリソースユニットに含まれるシンボルの有効シンボル長が示されている。
【０１０８】
任意選択で、リソースユニットは第1のノーマルCPシンボルおよび第2のノーマルCPシンボルを含む。サービングセルのサブキャリア間隔に基づいて第1のデバイスが、サービングセルのリソースユニットに含まれるシンボルのサイクリックプレフィックスCP長を決定するステップは、
サービングセルのサブキャリア間隔がΔf1である場合、第1のノーマルCPシンボルの長さが
【数１７】
2019511879.tif 000020
であり、第2のノーマルCPシンボルの長さが
【数１８】
2019511879.tif 000021
であると決定するステップであって、式中、Δf1＝N1・15kHzであり、N1が2以上の正の整数であり、またはN1が1以上の正の整数であり、Ts＝1／（15000×2048）である、ステップ
を含む。
【０１０９】
さらに、リソースユニットは、M1個の第1のノーマルCPシンボルおよびM2個の第2のノーマルCPシンボルを含み、M1とM2はどちらも正の整数である。サービングセルのサブキャリア間隔が異なる値を有する場合、M1の値とM2の値は不変のままである。任意選択で、t1が1msである場合、またはリソースユニットの長さがサブフレーム長である場合、M1は2であり、M2は12である。
【０１１０】
任意選択で、リソースユニット内のシンボル0からシンボル（M1−1）は第1のノーマルCPシンボルであり、リソースユニット内のシンボルM1からシンボル（M1＋M2−1）は第2のノーマルCPシンボルであり、または
リソースユニット内のシンボル0およびシンボル（（M1＋M2）／2）は第1のノーマルCPシンボルであり、リソースユニット内のシンボル0およびシンボル（（M1＋M2）／2）以外のシンボルは第2のノーマルCPシンボルである。
【０１１１】
任意選択で、サービングセルのサブキャリア間隔は第1のサブキャリア間隔セットに属し、第1のサブキャリア間隔セットは、第1のサブキャリア間隔および第2のサブキャリア間隔を含む。第1のサブキャリア間隔と第2のサブキャリア間隔はどちらも15kHzの倍数であり、第1のサブキャリア間隔は第2のサブキャリア間隔より小さい（例えば、第2のサブキャリア間隔は第1のサブキャリア間隔の2倍である）。
【０１１２】
（A）サービングセルのサブキャリア間隔が第1のサブキャリア間隔である場合、リソースユニット内のシンボル0およびシンボル（（M1＋M2）／2）は第1のノーマルCPシンボルであり、リソースユニット内のシンボル0およびシンボル（（M1＋M2）／2）以外のシンボルは第2のノーマルCPシンボルである。
【０１１３】
（B）サービングセルのサブキャリア間隔が第2のサブキャリア間隔である場合、リソースユニット内のシンボル0からシンボル（M1−1）は第1のノーマルCPシンボルであり、リソースユニット内のシンボルM1からシンボル（M1＋M2−1）は第2のノーマルCPシンボルである。
【０１１４】
任意選択で、第1のサブキャリア間隔はサービングセルの第1の帯域幅部分に対応し、第2のサブキャリア間隔はサービングセルの第2の帯域幅部分に対応する。例えば、（I）第1のサブキャリア間隔が15kHzであり、第2のサブキャリア間隔が30kHzである場合、リソースユニット内の第1のノーマルCPシンボルおよび第2のノーマルCPシンボルの図2に示す分配は、前述の「（A）および（B）に記載される方法」で決定されてよく（図2は、第1のノーマルCPシンボルおよび第2のノーマルCPシンボルの分配の概略図1である）、（II）第1のサブキャリア間隔が30kHzであり、第2のサブキャリア間隔が60kHzである場合、リソースユニット内の第1のノーマルCPシンボルおよび第2のノーマルCPシンボルの図3に示す分配は、前述の「（A）および（B）に記載される方法」で決定されてよい（図3は、第1のノーマルCPシンボルおよび第2のノーマルCPシンボルの分配の概略図2である）。第1のサブキャリア間隔に対応するリソースユニットは、ダウンリンクシンボル、ガード区間（Guard Period、略称GP）、およびアップリンクシンボルを含む。リソースユニットの長さがサブフレーム長と等しい場合、リソースユニットは、自己完結型サブフレームタイプと呼ぶことのできる新しいサブフレームタイプに対応する。本出願の本実施形態では、第1の帯域幅部分が第2の帯域幅部分に隣接しているとき、リソースユニットが異なるサブキャリア間隔に対応する場合にリソースユニットは同数の第1のノーマルCPシンボルを含み、第1のノーマルCPシンボルおよび第2のノーマルCPシンボルは図2または図3に示すように分配されうる。したがって、第1のサブキャリア間隔に対応するGP境界を第2のサブキャリア間隔に対応するGP境界と整合させることができ、第1のサブキャリア間隔に対応するアップリンクシンボル境界を第2のサブキャリア間隔に対応するアップリンクシンボル境界と整合させることができ（図2または図3に示すように、第1のサブキャリア間隔に対応するすべてのアップリンクシンボルによって占有される全持続期間は、第2のサブキャリア間隔に対応するすべてのアップリンクシンボルによって占有される全持続期間と同じである）、第1のサブキャリア間隔に対応するダウンリンクシンボル境界を第2のサブキャリア間隔に対応するダウンリンクシンボル境界と整合させることができ、そのため、第1のサブキャリア間隔に対応するシステムパラメータと第2のサブキャリア間隔に対応するシステムパラメータとが効率よく共存することができ、それによってシステム性能が向上する。そうでない場合、リソースが無駄に浪費される。例えば、図2の第2のサブキャリア間隔に対応するリソースユニットでは、シンボル0だけが第1のノーマルCPシンボルである場合、第2のサブキャリア間隔に対応するアップリンクシンボルは第1のサブキャリア間隔に対応するアップリンクシンボルと整合されない。具体的には、例えば、第2のサブキャリア間隔に対応するアップリンクシンボルの全長は第1のサブキャリア間隔に対応するアップリンクシンボルの全長より大きく、したがって、得られる第2のサブキャリア間隔のガード区間は、第1のキャリア間隔に対応するダウンリンク伝送に対して相対的に短い。したがって、第2のサブキャリア間隔のアップリンク伝送性能、特にアップリンク制御情���伝送が劣化する。1つの解決策は、第1のサブキャリア間隔に対応するGP長を延長することであるが、リソースが無駄に浪費される。
【０１１５】
任意選択で、サービングセルのサブキャリア間隔が変動する場合、サービングセルのリソースユニット内のチャネルは同じリソース位置を占有し、かつ／もしくはサービングセルのリソースユニット内の信号は同じリソース位置を占有する（すなわち、サービングセルのリソースユニット内のチャネル設計および／または信号設計は同じである）。具体的には、リソースユニットが異なるサブキャリア間隔に対応する場合、リソースユニット内の信号は同じリソース位置を占有し、かつ／またはリソースユニット内のチャネルは同じリソース位置を占有する。本実施形態におけるチャネルは、ダウンリンク共有チャネルおよびダウンリンク制御チャネルを含んでいてよく、信号は参照信号を含んでいてよい。
【０１１６】
さらに、サービングセルのサブキャリア間隔が変動する場合、同じCPオーバーヘッドで、サービングセルのリソースユニット内のチャネルは同じリソース位置を占有し、かつ／またはサービングセルのリソースユニット内の信号は同じリソース位置を占有する。CPオーバーヘッドは、CP占有持続期間対シンボル長の比であってもよく、またはCP占有持続期間対有効シンボル長の比であってもよく、またはCP占有持続期間をシンボル長で割ったものであってもよい。
【０１１７】
任意選択で、サービングセルのサブキャリア間隔が同じサブキャリア間隔セット内で変動する場合、サービングセルのリソースユニット内のチャネルは同じリソース位置を占有し、かつ／もしくはサービングセルのリソースユニット内の信号は同じリソース位置を占有する。任意選択で、サブキャリア間隔セットに含まれるすべての異なるサブキャリア間隔は15kHzの倍数である。
【０１１８】
さらに、サービングセルのサブキャリア間隔が同じサブキャリア間隔セットにおいて変動する場合、同じCPオーバーヘッドで、サービングセルのリソースユニット内のチャネルは同じリソース位置を占有し、かつ／またはサービングセルのリソースユニット内の信号は同じリソース位置を占有する。任意選択で、サブキャリア間隔セットに含まれるすべての異なるサブキャリア間隔は15kHzの倍数である。任意選択で、サブキャリア間隔セットは特定の搬送波周波数セットに対応し、異なるサブキャリア間隔セットは異なる搬送波周波数セットに対応する。
【０１１９】
本出願の本実施形態のステップS102では、第1のデバイスは、サービングセルのサブキャリア間隔に基づいてサービングセルのリソースユニットを決定する。各リソースユニットに対応するパラメータをサブキャリア間隔に対応するシステムパラメータと呼んでもよく、異なるサブキャリア間隔は異なるシステムパラメータに対応する。
【０１２０】
このステップでは、サービングセルのサブキャリア間隔が異なる値を有する場合にリソースユニットの長さが調整される。したがって、リソースユニットが異なるサブキャリア間隔に対応する場合、リソースユニットに含まれるシンボルの数は同じであり、リソースユニットに含まれるサブキャリアの数は倍数関係にあり、そのため、リソースユニットが異なるサブキャリア間隔に対応する場合、リソースユニットに含まれるリソース要素（resource element、略称RE）の数は同じか、または倍数関係にある。したがって、複雑さを低減させるために、リソースユニットが異なるサブキャリア間隔に対応する場合、リソースユニットにおいて均一なチャネル設計および信号設計を使用することができる。具体的には、複雑さを低減させるために、複数のシステム・パラメータ・セットが均一なチャネル設計および信号設計を共用することができる。
【０１２１】
本出願の本実施形態では、特に指定しない限り、ステップの順序およびステップ間の相互依存関係は限定されないことに留意されたい。
【０１２２】
結論として、本出願の本実施形態では、サービングセルのサブキャリア間隔が異なる値を有する場合にリソースユニットの長さが調整される。したがって、リソースユニットが異なるサブキャリア間隔に対応する場合、リソースユニットに含まれるシンボルの数は同じであり、リソースユニットに含まれるサブキャリアの数は倍数関係にあり、そのため、複雑さを低減させるために、リソースユニットが異なるサブキャリア間隔に対応する場合、リソースユニットにおいて均一なチャネル設計および信号設計を使用することができる。具体的には、複雑さを低減させるために、複数のシステム・パラメータ・セットが均一なチャネル設計および信号設計を共用することができる。
【０１２３】
さらに、リソースユニットが異なるサブキャリア間隔に対応する場合、リソースユニットは同数の第1のノーマルCPシンボルを含み、第1のノーマルCPシンボルおよび第2のノーマルCPシンボルは、前述の本実施形態の「（A）および（B）」に記載される方法で分配される。したがって、第1のサブキャリア間隔に対応するGP境界を第2のサブキャリア間隔に対応するGP境界と整合させることができ、第1のサブキャリア間隔に対応するアップリンクシンボル境界を第2のサブキャリア間隔に対応するアップリンクシンボル境界と整合させることができ、第1のサブキャリア間隔に対応するダウンリンクシンボル境界を第2のサブキャリア間隔に対応するダウンリンクシンボル境界と整合させることができ、そのため、第1のサブキャリア間隔に対応するシステムパラメータと第2のサブキャリア間隔に対応するシステムパラメータとが効率よく共存することができ、それによってシステム性能が向上する。
【０１２４】
本出願の情報伝送方法の実施形態3では、サービングセルのサブキャリア間隔が17.5kHzの倍数であるプロセスについて、実施形態1に基づいて詳細に説明する。
【０１２５】
本出願の本実施形態では、任意選択で、ステップS101は、少なくとも以下のように実施されうる。
【０１２６】
第1の可能な実施態様において、第1のデバイスは、サービングセルの搬送波周波数を決定し、搬送波周波数に基づいてサービングセルのサブキャリア間隔を決定する。
【０１２７】
本出願の本実施形態では、第1のデバイスがサービングセルの搬送波周波数を決定すると、第1のデバイスは、搬送波周波数とサブキャリア間隔との間の事前設定対応関係に基づいて、サービングセルの搬送波周波数に対応するサブキャリア間隔を決定する。例えば、搬送波周波数とサブキャリア間隔との間の事前設定対応関係は以下であってもよい。搬送波周波数が3GHz以下である場合、サブキャリア間隔は17.5kHzであり、または搬送波周波数が3GHz超6GHz以下である場合、サブキャリア間隔は35kHzである。
【０１２８】
第2の可能な実施態様において、第1のデバイスは、サービングセルに対応する搬送波周波数セットを決定し、搬送波周波数セットに基づいて、サービングセルに対応するサブキャリア間隔セットを決定する。
【０１２９】
第1のデバイスは、サービングセルに対応するサブキャリア間隔セットに基づいてサービングセルのサブキャリア間隔を決定する。
【０１３０】
本出願の本実施形態では、第1のデバイスがサービングセルに対応する搬送波周波数セットを決定すると、第1のデバイスは、サブキャリア間隔セットに基づいてサービングセルのサブキャリア間隔を決定するように、搬送波周波数とサブキャリア間隔セットとの間の事前設定対応関係に基づいて、サービングセルの搬送波周波数セットに対応するサブキャリア間隔セットを決定する。
【０１３１】
例えば、搬送波周波数セットとサブキャリア間隔セットとの間の対応関係は以下であってもよい。
【０１３２】
サービングセルに対応する搬送波周波数セットに含まれる搬送波周波数が3GHz以下である場合、サービングセルに対応するサブキャリア間隔セットは、サブキャリア間隔1およびサブキャリア間隔8を含む。任意選択で、サブキャリア間隔1は15kHzであり、サブキャリア間隔8は17.5kHzである。
【０１３３】
あるいは、サービングセルに対応する搬送波周波数セットに含まれる搬送波周波数が3GHz超6GHz以下である場合、サービングセルに対応するサブキャリア間隔セットは、サブキャリア間隔8およびサブキャリア間隔9を含む。任意選択で、サブキャリア間隔8は17.5kHzであり、サブキャリア間隔9は35kHzである。
【０１３４】
あるいは、サービングセルに対応する搬送波周波数セットに含まれる搬送波周波数が6GHz超40GHz以下である場合、サービングセルに対応するサブキャリア間隔セットは、サブキャリア間隔9およびサブキャリア間隔10を含む。任意選択で、サブキャリア間隔9は35kHzであり、サブキャリア間隔10は70kHzである。
【０１３５】
あるいは、サービングセルに対応する搬送波周波数セットに含まれる搬送波周波数が40GHz超80GHz以下である場合、サービングセルに対応するサブキャリア間隔セットは、サブキャリア間隔10およびサブキャリア間隔11を含む。任意選択で、サブキャリア間隔10は70kHzであり、サブキャリア間隔11は140kHzである。
【０１３６】
あるいは、サービングセルに対応する搬送波周波数セットに含まれる搬送波周波数が80GHz超である場合、サービングセルに対応するサブキャリア間隔セットは、サブキャリア間隔12およびサブキャリア間隔13を含む。任意選択で、サブキャリア間隔12は280kHzであり、サブキャリア間隔13は560kHzである。
【０１３７】
当然ながら、搬送波周波数セットとサブキャリア間隔セットとの間の対応関係は単なる一例にすぎない。本出願の本実施形態では、搬送波周波数セットとサブキャリア間隔セットとの間の対応関係は別の形であってもよい。本出願の本実施形態はこれを限定しない。
【０１３８】
5G通信システムは、異なるサービス、異なる配備シナリオ、および異なるスペクトルの要件を満たす必要がある。異なるサービスおよび異なるシナリオが同じサービングセルでサポートされる場合、同じサービングセルにおける異なるシステムパラメータの共存がサポートされる必要がある。この場合には、同じサービングセルの異なる帯域幅部分が異なるサブキャリア間隔をサポートする。これに対応して、第1のデバイスは、サービングセルの異なる帯域幅部分に対応するサブキャリア間隔をそれぞれ決定する。
【０１３９】
任意選択で、サブキャリア間隔セットは異なるサブキャリア間隔を含み、そのため、異なるシナリオにおいて適切なサブキャリア間隔を選択することができ、よりマッチしたサブキャリア間隔を使用することによってシステム性能が向上する。例えば、（a）大きな遅延スプレッドのシナリオでは、比較的小さなサブキャリア間隔が選択されてよく、（b）高速のシナリオでは、比較的大きなサブキャリア間隔が選択されてよい。例えば、周波数が6GHz以下である場合、対応するサブキャリア間隔セットは、17.5kHzおよび35kHzを含み、35kHzは最大500km／時の高速シナリオで使用され、17.5kHzは遅延スプレッドが最大約5usまでのシナリオで使用されうる。
【０１４０】
本出願の本実施形態のステップS102では、任意選択で、第1のデバイスは、サービングセルのサブキャリア間隔に基づいてサービングセルのリソースユニットのパラメータを決定し、リソースユニットのパラメータに基づいてサービングセルのリソースユニットを決定してもよい。リソースユニットのパラメータは、リソースユニットの長さ、リソースユニットに含まれるシンボルの数、リソースユニットに含まれるサブキャリアの数、リソースユニットに含まれるシンボルの有効シンボル長、およびリソースユニットに含まれるシンボルのサイクリックプレフィックスCP長のうちの少なくとも1つを含む。
【０１４１】
任意選択で、第1のデバイスが、サービングセルのサブキャリア間隔に基づいてサービングセルのリソースユニットの長さを決定するステップは、
サービングセルのサブキャリア間隔がΔf2である場合、リソースユニットの長さが
【数１９】
2019511879.tif 000022
であると決定するステップであって、式中、Δf2＝N2・17.5kHzであり、N2が1以上の正の整数であり、t2が1msまたは0.5msである、ステップ
を含む。任意選択で、リソースユニットの長さは、サブフレーム長またはタイムスロット長であってもよい。任意選択で、リソースユニットの長さがサブフレーム長である場合、t2は1msであり、またはリソースユニットの長さがタイムスロット長である場合、t2は0.5msである。例えば、Δf2＝35kHzであり、t2が1msである場合、リソースユニットの長さは0.5msである。具体的には、サービングセルのサブキャリア間隔が35kHzである場合、サービングセルのサブフレーム長は0.5msである。詳細については、表2を参照されたい（表2はリソースユニットのパラメータテーブル2である）。上記は例にすぎない。表2に、サブキャリア間隔が異なる値を有する場合のリソースユニットの長さをさらに示す。サービングセルのサブキャリア間隔が異なる値を有する場合にリソースユニットの長さが調整され、そのため、リソースユニットが異なるサブキャリア間隔に対応する場合にリソースユニットは同数のシンボルを含むことが分かる。表2の値は単なる一例であり、丸めた値であることに留意されたい。例えば、本実施形態における有効シンボル長およびCP長は、表2の値に近似していてもよい。加えて、表3のパラメータ間の相互依存性は限定されない。
【０１４２】
【表２】
2019511879.tif 000023
【０１４３】
任意選択で、サービングセルのサブキャリア間隔に基づいて第1のデバイスが、サービングセルのリソースユニットに含まれるシンボルの数を決定するステップは、
サービングセルのサブキャリア間隔に基づいて第1のデバイスが、サービングセルのリソースユニットに含まれるシンボルの数が16であると決定するステップであって、サービングセルのサブキャリア間隔が17.5kHzの倍数である、ステップ
を含む。
【０１４４】
本出願の本実施形態では、異なるサブキャリア間隔に対応するリソースユニットは、リソースユニットが異なるサブキャリア間隔に対応する場合、リソースユニットに含まれるシンボルの数が不変のままであるように定義され、そのため、リソースユニットが異なるシステムパラメータに対応する場合、リソースユニット内の信号および／または信号によって占有されるリソース位置は不変のままである。
【０１４５】
任意選択で、本出願の本実施形態における「リソースユニットに含まれるシンボル」は、リソースユニットに含まれる時間領域シンボル、例えば、OFDMシンボルやSC-FDMAシンボルであってもよい。任意選択で、リソースユニットに含まれるシンボルは、シンボル番号を有していてもよい。リソースユニット内の第1のシンボルの番号は0であり、すなわち、リソースユニット内の第1のシンボルはシンボル0であり、同様に、リソースユニット内の第Xのシンボルはリソースユニット内のシンボル（X−1）である。
【０１４６】
任意選択で、サービングセルのサブキャリア間隔に基づいて第1のデバイスが、サービングセルのリソースユニットに含まれるサブキャリアの数を決定するステップは、
サービングセルのサブキャリア間隔に基づいて第1のデバイスが、サービングセルのリソースユニットに含まれるサブキャリアの数が16であると決定するステップであって、サービングセルのサブキャリア間隔が17.5kHzの倍数である、ステップ、または
サービングセルのサブキャリア間隔に基づいて第1のデバイスが、サービングセルのリソースユニットに含まれるサブキャリアの数が16の倍数であると決定するステップ
を含む。
【０１４７】
本出願の本実施形態では、異なるサブキャリア間隔に対応するリソースユニットは、リソースユニットが異なるサブキャリア間隔に対応する場合、リソースユニットに含まれるシンボルの数が不変のままであるように定義される。例えば、サブキャリアの数は12、16、または8である。あるいは、サービングセルのサブキャリア間隔が異なる値を有する場合、サブキャリア間隔に対応するリソースユニットに含まれるセカンダリキャリアの数はS2の倍数である。例えば、S2は16であってもよい（例えば、サービングセルのサブキャリア間隔が17.5kHzである場合、リソースユニットは16のサブキャリアを含む）。
【０１４８】
本出願の本実施形態では、シンボルの長さは、シンボルのCP長およびシンボルの有効シンボル長を含む。任意選択で、サービングセルのサブキャリア間隔に基づいて第1のデバイスが、サービングセルのリソースユニットに含まれるシンボルの有効シンボル長を決定するステップは、
サービングセルのサブキャリア間隔がΔf2である場合、リソースユニットの有効シンボル長が
【数２０】
2019511879.tif 000024
であると決定するステップであって、式中、Δf2＝N2・17.5kHzであり、N2が1以上の正の整数であり、Tsymbolが、サービングセルのサブキャリア間隔が17.5kHzである場合にリソースユニットに含まれるシンボルの有効シンボル長である、ステップ
を含む。任意選択で、Tsymbolは1／17500sである。例えば、表2に、サブキャリア間隔が異なる値を有する場合にリソースユニットの有効シンボル長が示されている。
【０１４９】
任意選択で、サービングセルのサブキャリア間隔に基づいて第1のデバイスが、サービングセルのリソースユニットに含まれるシンボルのサイクリックプレフィックスCP長を決定するステップは、
サービングセルのサブキャリア間隔がΔf2である場合、リソースユニットのサイクリックプレフィックスCP長が
【数２１】
2019511879.tif 000025
であると決定するステップであって、式中、Δf2＝N2・17.5kHzであり、N2が1以上の正の整数であり、TCPが、サービングセルのサブキャリア間隔が17.5kHzである場合にリソースユニットに含まれるシンボルのCP長である、ステップ
を含む。任意選択で、TCPは5.36μsである。
【０１５０】
さらに、リソースユニットは第3のノーマルCPシンボルおよび第4のノーマルCPシンボルを含む。任意選択で、第3のノーマルCPシンボルの長さは第4のノーマルCPシンボルの長さより長い。任意選択で、M3個の第3のノーマルCPシンボルおよびM4個の第4のノーマルCPシンボルがあり、M3とM4はどちらも正の整数である。サービングセルのサブキャリア間隔が異なる値を有する場合、M3の値とM4の値は不変のままである。
【０１５１】
任意選択で、リソースユニット内のシンボル0からシンボル（M3−1）は第3のノーマルCPシンボルであり、リソースユニット内のシンボルM3からシンボル（M3＋M4−1）は第4のノーマルCPシンボルであり、または
リソースユニット内のシンボル0およびシンボル（（M3＋M4）／2）は第3のノーマルCPシンボルであり、リソースユニット内のシンボル0およびシンボル（（M3＋M4）／2）以外のシンボルは第4のノーマルCPシンボルである。
【０１５２】
任意選択で、サービングセルのサブキャリア間隔は第2のサブキャリア間隔セットに属し、第2のサブキャリア間隔セットは、第3のサブキャリア間隔および第4のサブキャリア間隔を含む。第3のサブキャリア間隔と第4のサブキャリア間隔はどちらも17.5kHzの倍数であり、第3のサブキャリア間隔は第4のサブキャリア間隔より小さい（例えば、第4のサブキャリア間隔は第3のサブキャリア間隔の2倍である）。
【０１５３】
（A）サービングセルのサブキャリア間隔が第3のサブキャリア間隔セット内にある場合、リソースユニット内のシンボル0およびシンボル（（M3＋M4）／2）は第3のノーマルCPシンボルであり、リソースユニット内のシンボル0およびシンボル（（M3＋M4）／2）以外のシンボルは第4のノーマルCPシンボルである。
【０１５４】
（B）サービングセルのサブキャリア間隔が第4のサブキャリア間隔セット内にある場合、リソースユニット内のシンボル0からシンボル（M3−1）は第3のノーマルCPシンボルであり、リソースユニット内のシンボルM3からシンボル（M3＋M4−1）は第4のノーマルCPシンボルである。
【０１５５】
任意選択で、第3のサブキャリア間隔はサービングセルの第1の帯域幅部分に対応し、第4のサブキャリア間隔はサービングセルの第2の帯域幅部分に対応する。例えば、第3のサブキャリア間隔が17.5kHzであり、第4のサブキャリア間隔が35kHzである場合、リソースユニット内の第3のノーマルCPシンボルおよび第4のノーマルCPシンボルの分配は、前述の本実施形態の「（A）および（B）に記載される方法」で決定されてよい。本出願の本実施形態では、第1の帯域幅部分が第2の帯域幅部分に隣接しているとき、リソースユニットが異なるサブキャリア間隔に対応する場合にリソースユニットは同数の第3のノーマルCPシンボルを含み、第3のノーマルCPシンボルおよび第4のノーマルCPシンボルの分配は、前述の本実施形態の「（A）および（B）に記載される方法」で決定される。したがって、第3のサブキャリア間隔に対応するGP境界を第4のサブキャリア間隔に対応するGP境界と整合させることができ、第3のサブキャリア間隔に対応するアップリンクシンボル境界を第4のサブキャリア間隔に対応するアップリンクシンボル境界と整合させることができ、第3のサブキャリア間隔に対応するダウンリンクシンボル境界を第4のサブキャリア間隔に対応するダウンリンクシンボル境界と整合させることができ、そのため、第3のサブキャリア間隔に対応するシステムパラメータと第4のサブキャリア間隔に対応するシステムパラメータとが効率よく共存することができ、それによってシステム性能が向上する。
【０１５６】
任意選択で、サービングセルのサブキャリア間隔が変動する場合、サービングセルのリソースユニット内のチャネルは同じリソース位置を占有し、かつ／もしくはサービングセルのリソースユニット内の信号は同じリソース位置を占有する（すなわち、サービングセルのリソースユニット内のチャネル設計および／または信号設計は同じである）。具体的には、リソースユニットが異なるサブキャリア間隔に対応する場合、リソースユニット内の信号は同じリソース位置を占有し、かつ／またはリソースユニット内のチャネルは同じリソース位置を占有する。本実施形態におけるチャネルは、ダウンリンク共有チャネルおよびダウンリンク制御チャネルを含んでいてよく、信号は参照信号を含んでいてよい。
【０１５７】
さらに、サービングセルのサブキャリア間隔が変動する場合、同じCPオーバーヘッドで、サービングセルのリソースユニット内のチャネルは同じリソース位置を占有し、かつ／またはサービングセルのリソースユニット内の信号は同じリソース位置を占有する。
【０１５８】
任意選択で、サービングセルのサブキャリア間隔が同じサブキャリア間隔セット内で変動する場合、サービングセルのリソースユニット内のチャネルは同じリソース位置を占有し、かつ／もしくはサービングセルのリソースユニット内の信号は同じリソース位置を占有する。任意選択で、サブキャリア間隔セットに含まれるすべての異なるサブキャリア間隔は17.5kHzの倍数である。
【０１５９】
さらに、サービングセルのサブキャリア間隔が同じサブキャリア間隔セットにおいて変動する場合、同じCPオーバーヘッドで、サービングセルのリソースユニット内のチャネルは同じリソース位置を占有し、かつ／またはサービングセルのリソースユニット内の信号は同じリソース位置を占有する。任意選択で、サブキャリア間隔セットに含まれるすべての異なるサブキャリア間隔は17.5kHzの倍数である。任意選択で、サブキャリア間隔セットは特定の搬送波周波数セットに対応し、異なるサブキャリア間隔セットは異なる搬送波周波数セットに対応する。
【０１６０】
本出願の本実施形態のステップS102では、第1のデバイスは、サービングセルのサブキャリア間隔に基づいてサービングセルのリソースユニットを決定する。各リソースユニットに対応するパラメータをサブキャリア間隔に対応するシステムパラメータと呼んでもよく、異なるサブキャリア間隔は異なるシステムパラメータに対応する。
【０１６１】
このステップでは、サービングセルのサブキャリア間隔が異なる値を有する場合にリソースユニットの長さが調整される。したがって、リソースユニットが異なるサブキャリア間隔に対応する場合、リソースユニットに含まれるシンボルの数は同じであり、リソースユニットに含まれるサブキャリアの数は倍数関係にあり、そのため、リソースユニットが異なるサブキャリア間隔に対応する場合、リソースユニットに含まれるREの数は同じか、または倍数関係にある。したがって、複雑さを低減させるために、リソースユニットが異なるサブキャリア間隔に対応する場合、リソースユニットにおいて均一なチャネル設計および信号設計を使用することができる。具体的には、複雑さを低減させるために、複数のシステム・パラメータ・セットが均一なチャネル設計および信号設計を共用することができる。
【０１６２】
本出願の本実施形態では、特に指定しない限り、ステップの順序およびステップ間の相互依存関係は限定されないことに留意されたい。
【０１６３】
結論として、本出願の本実施形態では、サービングセルのサブキャリア間隔が異なる値を有する場合にリソースユニットの長さが調整される。したがって、リソースユニットが異なるサブキャリア間隔に対応する場合、リソースユニットに含まれるシンボルの数は同じであり、リソースユニットに含まれるサブキャリアの数は倍数関係にあり、そのため、複雑さを低減させるために、リソースユニットが異なるサブキャリア間隔に対応する場合、リソースユニットにおいて均一なチャネル設計および信号設計を使用することができる。
【０１６４】
任意選択で、本出願の本実施形態のサービングセルのサブキャリア間隔は、16.875kHzの倍数であってもよい。具体的には、ステップS101からステップS103の実施態様は、実施形態2の17.5kHzが16.875kHzで置き換えられ、表2が表3で置き換えられるという条件で、「サービングセルのサブキャリア間隔が17.5kHzの倍数である」実施形態2の実施態様と同様であってよい（表3は、リソースユニットのパラメータテーブル3である）。ここでは詳細を繰り返さない。表3の値は単なる一例であり、丸めた値であることに留意されたい。例えば、本実施形態における有効シンボル長およびCP長は、表3の値に近似していてもよい。加えて、表3のパラメータ間の相互依存性は限定されない。
【０１６５】
【表３】
2019511879.tif 000026
【０１６６】
図4は、本出願によるデバイスの実施形態1の概略構造図である。任意選択で、本デバイスは第1のデバイスである。図4に示すように、本実施形態で提供されるデバイス400は、処理部401と、送受信部402とを含む。
【０１６７】
処理部401は、サービングセルのサブキャリア間隔を決定し、サービングセルのサブキャリア間隔に基づいてサービングセルのリソースユニットを決定するように構成される。
【０１６８】
送受信部402は、処理部によって決定されたサービングセルのリソースユニットに基づいてサービングセル内の第2のデバイスに情報を送信し、または、処理部によって決定されたサービングセルのリソースユニットに基づいてサービングセルにおいて、第2のデバイスによって送信された情報を受信するように構成される。
【０１６９】
本出願の本実施形態では、処理部401がサービングセルのサブキャリア間隔を決定するように構成される場合に、例として使用される2つの実施態様がありうる。前述の方法実施形態のステップS101の説明を参照されたく、ここでは詳細を繰り返さない。
【０１７０】
本出願の本実施形態では、送受信部402が、サービングセルのリソースユニットに基づいてサービングセル内の第2のデバイスに情報を送信し、または、サービングセルのリソースユニットに基づいてサービングセルにおいて、第2のデバイスによって送信された情報を受信するように構成される場合には、前述の方法実施形態のステップS103の説明を参照されたく、ここでは詳細を繰り返さない。
【０１７１】
任意選択で、処理部401は、サービングセルのサブキャリア間隔に基づいてサービングセルのリソースユニットのパラメータを決定し、リソースユニットのパラメータが、リソースユニットの長さ、リソースユニットに含まれるシンボルの数、リソースユニットに含まれるサブキャリアの数、リソースユニットに含まれるシンボルの有効シンボル長、およびリソースユニットに含まれるシンボルのサイクリックプレフィックスCP長のうちの少なくとも1つを含む、ように特に構成される。
【０１７２】
任意選択で、処理部401は、サービングセルのサブキャリア間隔がΔf1である場合、リソースユニットの長さが
【数２２】
2019511879.tif 000027
であると決定し、式中、Δf1＝N1・15kHzであり、N1が2以上の正の整数であり、t1が1msである、ように特に構成される。
【０１７３】
任意選択で、処理部401は、サービングセルのサブキャリア間隔に基づいて、サービングセルのリソースユニットに含まれるシンボルの数が14であると決定し、サービングセルのサブキャリア間隔が15kHzの倍数である、ように特に構成される。
【０１７４】
任意選択で、処理部401は、サービングセルのサブキャリア間隔に基づいて、サービングセルのリソースユニットに含まれるサブキャリアの数が12であると決定し、サービングセルのサブキャリア間隔が15kHzの倍数であり、または
サービングセルのサブキャリア間隔に基づいて、サービングセルのリソースユニットに含まれるサブキャリアの数が12の倍数であると決定する
ように特に構成される。
【０１７５】
任意選択で、処理部401は、サービングセルのサブキャリア間隔がΔf1である場合、リソースユニットに含まれるシンボルの有効シンボル長が
【数２３】
2019511879.tif 000028
であると決定し、式中、Δf1＝N1・15kHzであり、N1が2以上の正の整数であり、Ts＝1／（15000×2048）である、ように特に構成される。
【０１７６】
任意選択で、リソースユニットは第1のノーマルCPシンボルおよび第2のノーマルCPシンボルを含み、処理部401は、
サービングセルのサブキャリア間隔がΔf1である場合、第1のノーマルCPシンボルの長さが
【数２４】
2019511879.tif 000029
であり、第2のノーマルCPシンボルの長さが
【数２５】
2019511879.tif 000030
であると決定し、式中、Δf1＝N1・15kHzであり、N1が2以上の正の整数であり、Ts＝1／（15000×2048）である、
ように特に構成される。
【０１７７】
任意選択で、リソースユニットは、M1個の第1のノーマルCPシンボルおよびM2個の第2のノーマルCPシンボルを含み、M1とM2はどちらも正の整数であり、サービングセルのサブキャリア間隔が異なる値を有する場合、M1の値とM2の値は不変のままである。
【０１７８】
任意選択で、M1は2であり、M2は12である。
【０１７９】
任意選択で、リソースユニット内のシンボル0からシンボル（M1−1）は第1のノーマルCPシンボルであり、リソースユニット内のシンボルM1からシンボル（M1＋M2−1）は第2のノーマルCPシンボルであり、または
リソースユニット内のシンボル0およびシンボル（（M1＋M2）／2）は第1のノーマルCPシンボルであり、リソースユニット内のシンボル0およびシンボル（（M1＋M2）／2）以外のシンボルは第2のノーマルCPシンボルである。
【０１８０】
任意選択で、サービングセルのサブキャリア間隔は第1のサブキャリア間隔セットに属し、第1のサブキャリア間隔セットは、第1のサブキャリア間隔および第2のサブキャリア間隔を含む。第1のサブキャリア間隔と第2のサブキャリア間隔はどちらも15kHzの倍数であり、第1のサブキャリア間隔は第2のサブキャリア間隔より小さい。
【０１８１】
サービングセルのサブキャリア間隔が第1のサブキャリア間隔である場合、リソースユニット内のシンボル0およびシンボル（（M1＋M2）／2）は第1のノーマルCPシンボルであり、リソースユニット内のシンボル0およびシンボル（（M1＋M2）／2）以外のシンボルは第2のノーマルCPシンボルであり、または
サービングセルのサブキャリア間隔が第2のサブキャリア間隔である場合、リソースユニット内のシンボル0からシンボル（M1−1）は第1のノーマルCPシンボルであり、リソースユニット内のシンボルM1からシンボル（M1＋M2−1）は第2のノーマルCPシンボルである。
【０１８２】
任意選択で、第2のサブキャリア間隔は第1のサブキャリア間隔の2倍である。
【０１８３】
任意選択で、処理部401は、サービングセル内の第1の帯域幅部分に対応するサブキャリア間隔を決定し、サービングセル内の第2の帯域幅部分に対応するサブキャリア間隔を決定し、第1の帯域幅部分に対応するサブキャリア間隔が第1のサブキャリア間隔であり、第2の帯域幅部分に対応するサブキャリア間隔が第2のサブキャリア間隔である、ように特に構成される。
【０１８４】
本出願の本実施形態では、処理部401がサービングセルのサブキャリア間隔に基づいてサービングセルのリソースユニットのパラメータを決定するように構成される場合には、前述の方法実施形2のステップS102の説明を参照されたく、ここでは詳細を繰り返さない。
【０１８５】
任意選択で、処理部401は、サービングセルのサブキャリア間隔がΔf2である場合、リソースユニットの長さが
【数２６】
2019511879.tif 000031
であると決定し、式中、Δf2＝N2・17.5kHzであり、N2が1以上の正の整数であり、t2が1msである、ように特に構成される。
【０１８６】
任意選択で、処理部401は、サービングセルのサブキャリア間隔に基づいて、サービングセルのリソースユニットに含まれるシンボルの数が16であると決定し、サービングセルのサブキャリア間隔が17.5kHzの倍数である、ように特に構成される。
【０１８７】
任意選択で、処理部401は、
サービングセルのサブキャリア間隔に基づいて、サービングセルのリソースユニットに含まれるサブキャリアの数が16であると決定し、サービングセルのサブキャリア間隔が17.5kHzの倍数であり、または
サービングセルのサブキャリア間隔に基づいて、サービングセルのリソースユニットに含まれるサブキャリアの数が16の倍数であると決定する
ように特に構成される。
【０１８８】
任意選択で、処理部401は、サービングセルのサブキャリア間隔がΔf2である場合、リソースユニットに含まれるシンボルの有効シンボル長が
【数２７】
2019511879.tif 000032
であると決定し、式中、Δf2＝N2・17.5kHzであり、N2が1以上の正の整数であり、Tsymbolが、サービングセルのサブキャリア間隔が17.5kHzである場合にリソースユニットに含まれるシンボルの有効シンボル長である、ように特に構成される。
【０１８９】
任意選択で、Tsymbolは1／17500sである。
【０１９０】
任意選択で、処理部401は、サービングセルのサブキャリア間隔がΔf2である場合、リソースユニットに含まれるシンボルのサイクリックプレフィックスCP長が
【数２８】
2019511879.tif 000033
であると決定し、式中、Δf2＝N2・17.5kHzであり、N2が1以上の正の整数であり、TCPが、サービングセルのサブキャリア間隔が17.5kHzである場合にリソースユニットに含まれるシンボルのCP長である、ように特に構成される。
【０１９１】
任意選択で、TCPは5.36μsである。
【０１９２】
本出願の本実施形態では、処理部401がサービングセルのサブキャリア間隔に基づいてサービングセルのリソースユニットのパラメータを決定するように構成される場合には、前述の方法実施形3のステップS102の説明を参照されたく、ここでは詳細を繰り返さない。
【０１９３】
任意選択で、サービングセルのサブキャリア間隔が変動する場合、サービングセルのリソースユニット内のチャネルは同じリソース位置を占有し、かつ／もしくはサービングセルのリソースユニット内の信号は同じリソース位置を占有し、または
サービングセルのサブキャリア間隔が同じサブキャリア間隔セット内で変動する場合、サービングセルのリソースユニット内のチャネルが同じリソース位置を占有し、かつ／もしくはサービングセルのリソースユニット内の信号が同じリソース位置を占有する。
【０１９４】
任意選択で、サブキャリア間隔セットに含まれるすべての異なるサブキャリア間隔は、15kHzの倍数または17.5kHzの倍数である。
【０１９５】
任意選択で、サブキャリア間隔セットは特定の搬送波周波数セットに対応し、異なるサブキャリア間隔セットは異なる搬送波周波数セットに対応する。
【０１９６】
任意選択で、リソースユニットの長さはサブフレーム長である。
【０１９７】
本実施形態のデバイスは、本出願の情報伝送方法の任意の実施形態における技術的解決策を実行するように構成されてよく、本デバイスの実現原理および技術的効果は同様であり、ここでは繰り返さない。
【０１９８】
任意選択で、本出願の本実施形態では、処理部401はプロセッサによって実施されてもよく、送受信部402は送受信機によって実施されてもよい。
【０１９９】
図5は、本出願によるデバイスの実施形態2の概略構造図である。任意選択で、本デバイスは第1のデバイスである。図5に示すように、デバイス500は、プロセッサ501と、送受信機502と、メモリ503とを含みうる。メモリ503は、プロセッサ501によって実行されるコードなどを格納するように構成されうる。任意選択で、デバイス500の構成要素はバスシステム504を使用して相互に結合される。バスシステム504は、データバスに加えて、電源バス、制御バス、および状況信号バスを含む。
【０２００】
本出願で提供するいくつかの実施形態においては、開示の装置および方法が他のやり方で実現されうることを理解されたい。例えば、前述の装置実施形態は単なる例にすぎない。例えば、ユニット分割は単なる論理的機能分割にすぎず、実際の実装に際しては他の分割であってもよい。例えば、複数のユニットまたはコンポーネントが組み合わされ、または統合して別のシステムとされる場合もあり、いくつかの特徴が無視され、または実行されない場合もある。加えて、図示され、または記述された相互結合または直接結合または通信接続は、いくつかのインターフェースを使用して実現されてもよい。装置間またはユニット間の間接結合または通信接続は、電子的形態、機械的形態、または他の形態として実現されてもよい。
【０２０１】
別々の部品として記述されたユニットは物理的に分離している場合もそうではない場合もあり、ユニットとして図示された部品は物理的ユニットである場合もそうではない場合もあり、一箇所に位置する場合もあり、複数のネットワークユニット上に分散されている場合もある。ユニットの一部または全部が、各実施形態の解決策の目的を達成するための実際の要件に従って選択されてもよい。
【０２０２】
加えて、本出願の各実施形態における機能ユニットが1つの処理ユニットへ統合されていてもよく、ユニットの各々が物理的に独立して存在していてもよく、または2つ以上のユニットが1つのユニットへ統合される。統合ユニットはハードウェアの形態で実現されてもよく、ソフトウェア機能ユニットにハードウェアを加えた形態で実現されてもよい。
【０２０３】
前述の統合ユニットがソフトウェア機能ユニットの形態で実現される場合、その統合ユニットはコンピュータ可読記憶媒体に格納されうる。ソフトウェア機能ユニットは記憶媒体に格納されており、コンピュータデバイス（パーソナルコンピュータ、サーバ、ネットワークデバイスなどとすることができる）またはプロセッサ（processor）に、本出願の各実施形態に記載されている方法のステップの一部を実行するよう命令するためのいくつかの命令を含む。前述の記憶媒体は、USBフラッシュドライブ、リムーバブルハードディスク、読取り専用メモリ（Read-Only Memory、ROM）、ランダム・アクセス・メモリ（Random Access Memory、RAM）、磁気ディスク、光ディスクといった、プログラムコードを格納することができる任意の媒体を含む。
【０２０４】
前述の機能モジュールの分割は、説明を簡便にすることを目的とした、説明のための例とみなされるものであることが、当業者にははっきりと理解されよう。実際の適用においては、前述の各機能を異なる機能モジュールに割り振り、要件に従って実装することができ、すなわち、装置の内部構造が上述の各機能の全部または一部を実装するための異なる機能モジュールに分割される。前述の装置の詳細な動作プロセスについては、前述の方法実施形態の対応するプロセスを参照することができ、ここでは詳細を繰り返さない。
【０２０５】
本明細書における第1や第2などの様々な番号は、単に区別しやすいように使用されているにすぎず、本出願の実施形態の範囲を限定するためのものではないことが、当業者には理解されよう。
【０２０６】
前述のプロセスの順序番号は、本出願の様々な実施形態における実行順序を意味するものではないことが、当業者には理解されよう。各プロセスの実行順序は、各プロセスの機能および内部論理に基づいて決定されるべきであり、本出願の各実施形態の実施プロセスに関するいかなる限定としても解釈されるべきではない。
【０２０７】
方法実施形態の各ステップの全部または一部が関連ハードウェアに命令するプログラムによって実現されうることを、当業者は理解するであろう。プログラムはコンピュータ可読記憶媒体に格納されうる。プログラムが動作すると、方法実施形態の各ステップが行われる。前述の記憶媒体は、ROM、RAM、磁気ディスク、光ディスクなどといった、プログラムコードを格納することのできる任意の媒体を含む。
【符号の説明】
【０２０８】
400  デバイス
401  処理部
402  送受信部
500  デバイス
501  プロセッサ
502  送受信機
503  メモリ
504  バスシステム
【図１】
2019511879.tif 000048
【図２】
2019511879.tif 000049
【図３】
2019511879.tif 000050
【図４】
2019511879.tif 000051
【図５】
2019511879.tif 000052
【手続補正書】
【提出日】平成30年11月8日(2018.11.8)
【手続補正１】
【補正対象書類名】明細書
【補正対象項目名】０００２
【補正方法】変更
【補正の内容】
【０００２】
第5世代（5th Generation、略称5G）は、より高いシステム性能、異なるサービス、異なる配備シナリオ、および異なるスペクトルをサポートする目的で作られている。
【手続補正２】
【補正対象書類名】明細書
【補正対象項目名】０００７
【補正方法】変更
【補正の内容】
【０００７】
1つの可能な設計では、第1のデバイスにより、サービングセルのサブキャリア間隔に基づいてサービングセルのリソースユニットを決定するステップは、
第1のデバイスにより、サービングセルのサブキャリア間隔に基づいてサービングセルのリソースユニットのパラメータを決定するステップであって、リソースユニットのパラメータが、リソースユニットの長さ、リソースユニットに含まれるシンボルの数、リソースユニットに含まれるサブキャリアの数、リソースユニットに含まれるシンボルの有効シンボル長、およびリソースユニットに含まれるシンボルのサイクリックプレフィックス（CP）長のうちの少なくとも1つを含む、ステップ
を含む。
【手続補正３】
【補正対象書類名】明細書
【補正対象項目名】００１１
【補正方法】変更
【補正の内容】
【００１１】
この実施態様で提供される情報伝送方法によれば、異なるサブキャリア間隔に対応するリソースユニットは、リソースユニットが異なるサブキャリア間隔に対応する場合、リソースユニットに含まれるシンボルの数が不変のままであるように定義され、そのため、リソースユニットが異なるシステムパラメータに対応する場合、リソースユニット内のチャネルおよび／または信号によって占有されるリソース位置は不変のままである。
【手続補正４】
【補正対象書類名】明細書
【補正対象項目名】００１５
【補正方法】変更
【補正の内容】
【００１５】
1つの可能な設計では、リソースユニットは第1のノーマルCPシンボルおよび第2のノーマルCPシンボルを含み、第1のデバイスにより、サービングセルのサブキャリア間隔に基づいて、サービングセルのリソースユニットに含まれるシンボルのサイクリックプレフィックス（CP）長を決定するステップは、
サービングセルのサブキャリア間隔がΔf1である場合、第1のノーマルCPシンボルの長さが
【数３】
2019511879.tif 000053
であり、第2のノーマルCPシンボルの長さが
【数４】
2019511879.tif 000054
であると決定するステップであって、式中、Δf1＝N1・15kHzであり、N1が2以上の正の整数であり、Ts＝1／（15000×2048）である、ステップ
を含む。
【手続補正５】
【補正対象書類名】明細書
【補正対象項目名】００２６
【補正方法】変更
【補正の内容】
【００２６】
この実施態様で提供される情報伝送方法によれば、異なるサブキャリア間隔に対応するリソースユニットは、リソースユニットが異なるサブキャリア間隔に対応する場合、リソースユニットに含まれるシンボルの数が不変のままであるように定義され、そのため、リソースユニットが異なるシステムパラメータに対応する場合、リソースユニット内のチャネルおよび／または信号によって占有されるリソース位置は不変のままである。
【手続補正６】
【補正対象書類名】明細書
【補正対象項目名】００３１
【補正方法】変更
【補正の内容】
【００３１】
1つの可能な設計では、第1のデバイスにより、サービングセルのサブキャリア間隔に基づいて、サービングセルのリソースユニットに含まれるシンボルのサイクリックプレフィックス（CP）長を決定するステップは、
サービングセルのサブキャリア間隔がΔf2である場合、リソースユニットに含まれるシンボルのサイクリックプレフィックス（CP）長が
【数７】
2019511879.tif 000055
であると決定するステップであって、式中、Δf2＝N2・17.5kHzであり、N2が1以上の正の整数であり、TCPが、サービングセルのサブキャリア間隔が17.5kHzである場合にリソースユニットに含まれるシンボルのCP長さである、ステップ
を含む。
【手続補正７】
【補正対象書類名】明細書
【補正対象項目名】００４０
【補正方法】変更
【補正の内容】
【００４０】
1つの可能な設計では、処理部は、サービングセルのサブキャリア間隔に基づいてサービングセルのリソースユニットのパラメータを決定し、リソースユニットのパラメータが、リソースユニットの長さ、リソースユニットに含まれるシンボルの数、リソースユニットに含まれるサブキャリアの数、リソースユニットに含まれるシンボルの有効シンボル長、およびリソースユニットに含まれるシンボルのサイクリックプレフィックス（CP）長のうちの少なくとも1つを含む、ように特に構成される。
【手続補正８】
【補正対象書類名】明細書
【補正対象項目名】００５７
【補正方法】変更
【補正の内容】
【００５７】
1つの可能な設計では、処理部は、サービングセルのサブキャリア間隔がΔf2である場合、リソースユニットに含まれるシンボルのサイクリックプレフィックス（CP）長が
【数１４】
2019511879.tif 000056
であると決定し、式中、Δf2＝N2・17.5kHzであり、N2が1以上の正の整数であり、TCPが、サービングセルのサブキャリア間隔が17.5kHzである場合にリソースユニットに含まれるシンボルのCP長である、ように特に構成される。
【手続補正９】
【補正対象書類名】明細書
【補正対象項目名】００６３
【補正方法】変更
【補正の内容】
【００６３】
第2の態様および第2の態様のすべての可能な実施態様で提供されるデバイスの有益な効果については、第1の態様および第1の態様のすべての可能な実施態様の有益な効果を参照されたく、ここでは詳細を繰り返さない。
【手続補正１０】
【補正対象書類名】明細書
【補正対象項目名】００６５
【補正方法】変更
【補正の内容】
【００６５】
本出願の実施形態でいうユーザ機器は、携帯電話やタブレットコンピュータなどの無線端末であってよい。無線端末は、ユーザに音声サービスおよび／またはデータサービスを提供するデバイスを含む。任意選択で、デバイスは、無線接続機能を備えたハンドヘルドデバイスや、無線モデムに接続された別の処理デバイスであってもよい。加えて、無線端末は、無線アクセスネットワーク（RAN、Radio Access Network）を介して1つまたは複数のコアネットワークと通信する。例えば、無線端末は、特に、携帯電話（「セルラー」電話ともいう）や移動端末を備えたコンピュータなどの移動端末であってもよい。移動端末を備えたコンピュータは、可搬式、ポケットサイズ、ハンドヘルド、またはコンピュータ内蔵式のモバイル装置であっても、コアネットワークを音声および／またはデータを交換することができる車載モバイル装置であってもよい。例えば、無線端末は、パーソナル通信サービス（Personal Communication Service、略称PCS）電話機、コードレス電話セット、セッション開始プロトコル（SIP）電話機、ワイヤレス・ローカル・ループ（Wireless Local Loop、略称WLL）局、携帯情報端末（Personal Digital Assistant、略称PDA）などのデバイスであってもよい。無線端末は、システム、加入者ユニット（Subscriber Unit）、加入者局（Subscriber Station）、移動局（Mobile Station）、リモート局（Remote Station）、アクセスポイント（Access Point）、リモート端末（Remote Terminal）、アクセス端末（Access Terminal）、ユーザ端末（User Terminal）、ユーザエージェント（User Agent）、ユーザデバイス（User Device）、またはユーザ機器（User Equipment）とも呼ばれうる。本出願の実施形態におけるユーザ機器は、V2X（Vehicle to X）通信における車両などであってもよい。
【手続補正１１】
【補正対象書類名】明細書
【補正対象項目名】００６６
【補正方法】変更
【補正の内容】
【００６６】
本出願の実施形態でいうネットワークデバイスは、セルラー通信ネットワーク内のネットワーク任意のデバイス、例えば（アクセスポイントなどの）基地局であってよく、基地局は、アクセスネットワーク内の、1つまたは複数のセクタを使用してエアインターフェース上で無線端末と通信するデバイスであってよい。基地局は、受信した無線通信経由のフレームをIPパケットに変換し、またはIPパケットを受信した無線通信経由のフレームに変換し、無線端末とアクセスネットワークの残りの部分との間のルータとして働くように構成されうる。アクセスネットワークの残りの部分はインターネットプロトコル（IP）ネットワークを含みうる。基地局は、エアインターフェースの属性管理をさらに調整しうる。例えば、基地局は、GSM（登録商標）またはCDMAにおける基地局（Base Transceiver Station、略称BTS）であってもよく、WCDMA（登録商標）におけるノードB（NodeB）であってもよく、LTEにおける進化型ノードB（NodeB、eNB、またはeNodeB、evolved Node B）であってもよい。これについては本出願の実施形態では限定されない。本出願の実施形態におけるネットワークデバイスは、本出願の実施形態におけるユーザ機器に類似したD2D（Device to Device）通信内の端末デバイスであってもよく、V2X（Vehicle to X）通信における車両などであってもよい。
【手続補正１２】
【補正対象書類名】明細書
【補正対象項目名】００９８
【補正方法】変更
【補正の内容】
【００９８】
任意選択で、サービングセルのサブキャリア間隔は第1のサブキャリア間隔セットに属し、第1のサブキャリア間隔セットは、第1のサブキャリア間隔および第2のサブキャリア間隔を含む。第1のサブキャリア間隔と第2のサブキャリア間隔はどちらも15kHzの倍数であり、第1のサブキャリア間隔は第2のサブキャリア間隔より小さい。任意選択で、第2のサブキャリア間隔は第1のサブキャリア間隔の2倍である。任意選択で、ステップS101は、第1のデバイスが、サービングセル内の第1の帯域幅部分に対応するサブキャリア間隔を決定し、サービングセル内の第2の帯域幅部分に対応するサブキャリア間隔を決定するステップ、を含んでいてもよい。第1の帯域幅部分に対応するサブキャリア間隔は第1のサブキャリア間隔であり、第2の帯域幅部分に対応するサブキャリア間隔は第2のサブキャリア間隔である。第1の帯域幅部分が占有する周波数リソースは、第2の帯域幅部分が占有する周波数リソースと異なる。サービングセルの異なる帯域幅部分に異なるサブキャリア間隔が配備され、そのため、異なる適用シナリオのユーザに、よりマッチしたサブキャリア間隔を使用して同時にサービスすることができ、それによってシステム性能が向上する。例えば、（a）大きな遅延スプレッドを有するユーザ機器の場合、ユーザ機器は、第1のサブキャリア間隔に対応する帯域幅部分にスケジュールされてよく、（b）高速のユーザ機器の場合、ユーザ機器は、第2のサブキャリア間隔に対応する帯域幅部分にスケジュールされてよい。任意選択で、搬送波周波数が6GHz以下である場合、対応する第1のサブキャリア間隔セットは、15kHzおよび30kHzを含むことができ、30kHzは最大500km／時の高速シナリオで使用され、15kHzは遅延スプレッドが最大約5μsまでのシナリオで使用されうる。
【手続補正１３】
【補正対象書類名】明細書
【補正対象項目名】００９９
【補正方法】変更
【補正の内容】
【００９９】
本出願の本実施形態のステップS102では、任意選択で、第1のデバイスは、サービングセルのサブキャリア間隔に基づいてサービングセルのリソースユニットのパラメータを決定し、リソースユニットのパラメータに基づいてサービングセルのリソースユニットを決定してもよい。リソースユニットのパラメータは、リソースユニットの長さ、リソースユニットに含まれるシンボルの数、リソースユニットに含まれるサブキャリアの数、リソースユニットに含まれるシンボルの有効シンボル長、およびリソースユニットに含まれるシンボルのサイクリックプレフィックス（CP）長のうちの少なくとも1つを含む。
【手続補正１４】
【補正対象書類名】明細書
【補正対象項目名】０１０３
【補正方法】変更
【補正の内容】
【０１０３】
本出願の本実施形態では、異なるサブキャリア間隔に対応するリソースユニットは、リソースユニットが異なるサブキャリア間隔に対応する場合、リソースユニットに含まれるシンボルの数が不変のままであるように定義され、そのため、リソースユニットが異なるシステムパラメータに対応する場合、リソースユニット内のチャネルおよび／または信号によって占有されるリソース位置は不変のままである。
【手続補正１５】
【補正対象書類名】明細書
【補正対象項目名】０１０７
【補正方法】変更
【補正の内容】
【０１０７】
本出願の本実施形態では、シンボルの長さは、シンボルのCP長およびシンボルの有効シンボル長を含む。任意選択で、サービングセルのサブキャリア間隔に基づいて第1のデバイスが、サービングセルのリソースユニットに含まれるシンボルの有効シンボル長を決定するステップは、
サービングセルのサブキャリア間隔がΔf1である場合、リソースユニットに含まれるシンボルの有効シンボル長が
【数１６】
2019511879.tif 000057
であると決定するステップであって、式中、Δf1＝N1・15kHzであり、N1が2以上の正の整数であり、またはN1が1以上の正の整数であり、Ts＝1／（15000×2048）である、ステップ
を含む。例えば、表1に、サブキャリア間隔が異なる値を有する場合にリソースユニットに含まれるシンボルの有効シンボル長が示されている。
【手続補正１６】
【補正対象書類名】明細書
【補正対象項目名】０１０８
【補正方法】変更
【補正の内容】
【０１０８】
任意選択で、リソースユニットは第1のノーマルCPシンボルおよび第2のノーマルCPシンボルを含む。サービングセルのサブキャリア間隔に基づいて第1のデバイスが、サービングセルのリソースユニットに含まれるシンボルのサイクリックプレフィックス（CP）長を決定するステップは、
サービングセルのサブキャリア間隔がΔf1である場合、第1のノーマルCPシンボルの長さが
【数１７】
2019511879.tif 000058
であり、第2のノーマルCPシンボルの長さが
【数１８】
2019511879.tif 000059
であると決定するステップであって、式中、Δf1＝N1・15kHzであり、N1が2以上の正の整数であり、またはN1が1以上の正の整数であり、Ts＝1／（15000×2048）である、ステップ
を含む。
【手続補正１７】
【補正対象書類名】明細書
【補正対象項目名】０１１４
【補正方法】変更
【補正の内容】
【０１１４】
任意選択で、第1のサブキャリア間隔はサービングセルの第1の帯域幅部分に対応し、第2のサブキャリア間隔はサービングセルの第2の帯域幅部分に対応する。例えば、（I）第1のサブキャリア間隔が15kHzであり、第2のサブキャリア間隔が30kHzである場合、リソースユニット内の第1のノーマルCPシンボルおよび第2のノーマルCPシンボルの図2に示す分配は、前述の「（A）および（B）に記載される方法」で決定されてよく（図2は、第1のノーマルCPシンボルおよび第2のノーマルCPシンボルの分配の概略図1である）、（II）第1のサブキャリア間隔が30kHzであり、第2のサブキャリア間隔が60kHzである場合、リソースユニット内の第1のノーマルCPシンボルおよび第2のノーマルCPシンボルの図3に示す分配は、前述の「（A）および（B）に記載される方法」で決定されてよい（図3は、第1のノーマルCPシンボルおよび第2のノーマルCPシンボルの分配の概略図2である）。第1のサブキャリア間隔に対応するリソースユニットは、ダウンリンクシンボル、ガード区間（Guard Period、略称GP）、およびアップリンクシンボルを含む。リソースユニットの長さがサブフレーム長と等しい場合、リソースユニットは、自己完結型サブフレームタイプと呼ぶことのできる新しいサブフレームタイプに対応する。本出願の本実施形態では、第1の帯域幅部分が第2の帯域幅部分に隣接しているとき、リソースユニットが異なるサブキャリア間隔に対応する場合にリソースユニットは同数の第1のノーマルCPシンボルを含み、第1のノーマルCPシンボルおよび第2のノーマルCPシンボルは図2または図3に示すように分配されうる。したがって、第1のサブキャリア間隔に対応するGP境界を第2のサブキャリア間隔に対応するGP境界と整合させることができ、第1のサブキャリア間隔に対応するアップリンクシンボル境界を第2のサブキャリア間隔に対応するアップリンクシンボル境界と整合させることができ（図2または図3に示すように、第1のサブキャリア間隔に対応するすべてのアップリンクシンボルによって占有される全持続期間は、第2のサブキャリア間隔に対応するすべてのアップリンクシンボルによって占有される全持続期間と同じである）、第1のサブキャリア間隔に対応するダウンリンクシンボル境界を第2のサブキャリア間隔に対応するダウンリンクシンボル境界と整合させることができ、そのため、第1のサブキャリア間隔に対応するシステムパラメータと第2のサブキャリア間隔に対応するシステムパラメータとが効率よく共存することができ、それによってシステム性能が向上する。そうでない場合、リソースが無駄に浪費される。例えば、図2の第2のサブキャリア間隔に対応するリソースユニットでは、シンボル0だけが第1のノーマルCPシンボルである場合、第2のサブキャリア間隔に対応するアップリンクシンボルは第1のサブキャリア間隔に対応するアップリンクシンボルと整合されない。具体的には、例えば、第2のサブキャリア間隔に対応するアップリンクシンボルの全長は第1のサブキャリア間隔に対応するアップリンクシンボルの全長より大きく、したがって、得られる第2のサブキャリア間隔のガード区間は、第1のサブキャリア間隔に対応するダウンリンク伝送に対して相対的に短い。したがって、第2のサブキャリア間隔のアップリンク伝送性能、特にアップリンク制���情報伝送が劣化する。1つの解決策は、第1のサブキャリア間隔に対応するGP長を延長することであるが、リソースが無駄に浪費される。
【手続補正１８】
【補正対象書類名】明細書
【補正対象項目名】０１３９
【補正方法】変更
【補正の内容】
【０１３９】
任意選択で、サブキャリア間隔セットは異なるサブキャリア間隔を含み、そのため、異なるシナリオにおいて適切なサブキャリア間隔を選択することができ、よりマッチしたサブキャリア間隔を使用することによってシステム性能が向上する。例えば、（a）大きな遅延スプレッドのシナリオでは、比較的小さなサブキャリア間隔が選択されてよく、（b）高速のシナリオでは、比較的大きなサブキャリア間隔が選択されてよい。例えば、周波数が6GHz以下である場合、対応するサブキャリア間隔セットは、17.5kHzおよび35kHzを含み、35kHzは最大500km／時の高速シナリオで使用され、17.5kHzは遅延スプレッドが最大約5μsまでのシナリオで使用されうる。
【手続補正１９】
【補正対象書類名】明細書
【補正対象項目名】０１４０
【補正方法】変更
【補正の内容】
【０１４０】
本出願の本実施形態のステップS102では、任意選択で、第1のデバイスは、サービングセルのサブキャリア間隔に基づいてサービングセルのリソースユニットのパラメータを決定し、リソースユニットのパラメータに基づいてサービングセルのリソースユニットを決定してもよい。リソースユニットのパラメータは、リソースユニットの長さ、リソースユニットに含まれるシンボルの数、リソースユニットに含まれるサブキャリアの数、リソースユニットに含まれるシンボルの有効シンボル長、およびリソースユニットに含まれるシンボルのサイクリックプレフィックス（CP）長のうちの少なくとも1つを含む。
【手続補正２０】
【補正対象書類名】明細書
【補正対象項目名】０１４１
【補正方法】変更
【補正の内容】
【０１４１】
任意選択で、第1のデバイスが、サービングセルのサブキャリア間隔に基づいてサービングセルのリソースユニットの長さを決定するステップは、
サービングセルのサブキャリア間隔がΔf2である場合、リソースユニットの長さが
【数１９】
2019511879.tif 000060
であると決定するステップであって、式中、Δf2＝N2・17.5kHzであり、N2が1以上の正の整数であり、t2が1msまたは0.5msである、ステップ
を含む。任意選択で、リソースユニットの長さは、サブフレーム長またはタイムスロット長であってもよい。任意選択で、リソースユニットの長さがサブフレーム長である場合、t2は1msであり、またはリソースユニットの長さがタイムスロット長である場合、t2は0.5msである。例えば、Δf2＝35kHzであり、t2が1msである場合、リソースユニットの長さは0.5msである。具体的には、サービングセルのサブキャリア間隔が35kHzである場合、サービングセルのサブフレーム長は0.5msである。詳細については、表2を参照されたい（表2はリソースユニットのパラメータテーブル2である）。上記は例にすぎない。表2に、サブキャリア間隔が異なる値を有する場合のリソースユニットの長さをさらに示す。サービングセルのサブキャリア間隔が異なる値を有する場合にリソースユニットの長さが調整され、そのため、リソースユニットが異なるサブキャリア間隔に対応する場合にリソースユニットは同数のシンボルを含むことが分かる。表2の値は単なる一例であり、丸めた値であることに留意されたい。例えば、本実施形態における有効シンボル長およびCP長は、表2の値に近似していてもよい。加えて、表2のパラメータ間の相互依存性は限定されない。
【手続補正２１】
【補正対象書類名】明細書
【補正対象項目名】０１４４
【補正方法】変更
【補正の内容】
【０１４４】
本出願の本実施形態では、異なるサブキャリア間隔に対応するリソースユニットは、リソースユニットが異なるサブキャリア間隔に対応する場合、リソースユニットに含まれるシンボルの数が不変のままであるように定義され、そのため、リソースユニットが異なるシステムパラメータに対応する場合、リソースユニット内のチャネルおよび／または信号によって占有されるリソース位置は不変のままである。
【手続補正２２】
【補正対象書類名】明細書
【補正対象項目名】０１４８
【補正方法】変更
【補正の内容】
【０１４８】
本出願の本実施形態では、シンボルの長さは、シンボルのCP長およびシンボルの有効シンボル長を含む。任意選択で、サービングセルのサブキャリア間隔に基づいて第1のデバイスが、サービングセルのリソースユニットに含まれるシンボルの有効シンボル長を決定するステップは、
サービングセルのサブキャリア間隔がΔf2である場合、リソースユニットに含まれるシンボルの有効シンボル長が
【数２０】
2019511879.tif 000061
であると決定するステップであって、式中、Δf2＝N2・17.5kHzであり、N2が1以上の正の整数であり、Tsymbolが、サービングセルのサブキャリア間隔が17.5kHzである場合にリソースユニットに含まれるシンボルの有効シンボル長である、ステップ
を含む。任意選択で、Tsymbolは1／17500sである。例えば、表2に、サブキャリア間隔が異なる値を有する場合にリソースユニットの有効シンボル長が示されている。
【手続補正２３】
【補正対象書類名】明細書
【補正対象項目名】０１４９
【補正方法】変更
【補正の内容】
【０１４９】
任意選択で、サービングセルのサブキャリア間隔に基づいて第1のデバイスが、サービングセルのリソースユニットに含まれるシンボルのサイクリックプレフィックス（CP）長を決定するステップは、
サービングセルのサブキャリア間隔がΔf2である場合、リソースユニットに含まれるシンボルのサイクリックプレフィックス（CP）長が
【数２１】
2019511879.tif 000062
であると決定するステップであって、式中、Δf2＝N2・17.5kHzであり、N2が1以上の正の整数であり、TCPが、サービングセルのサブキャリア間隔が17.5kHzである場合にリソースユニットに含まれるシンボルのCP長である、ステップ
を含む。任意選択で、TCPは5.36μsである。
【手続補正２４】
【補正対象書類名】明細書
【補正対象項目名】０１７１
【補正方法】変更
【補正の内容】
【０１７１】
任意選択で、処理部401は、サービングセルのサブキャリア間隔に基づいてサービングセルのリソースユニットのパラメータを決定し、リソースユニットのパラメータが、リソースユニットの長さ、リソースユニットに含まれるシンボルの数、リソースユニットに含まれるサブキャリアの数、リソースユニットに含まれるシンボルの有効シンボル長、およびリソースユニットに含まれるシンボルのサイクリックプレフィックス（CP）長のうちの少なくとも1つを含む、ように特に構成される。
【手続補正２５】
【補正対象書類名】明細書
【補正対象項目名】０１９０
【補正方法】変更
【補正の内容】
【０１９０】
任意選択で、処理部401は、サービングセルのサブキャリア間隔がΔf2である場合、リソースユニットに含まれるシンボルのサイクリックプレフィックス（CP）長が
【数２８】
2019511879.tif 000063
であると決定し、式中、Δf2＝N2・17.5kHzであり、N2が1以上の正の整数であり、TCPが、サービングセルのサブキャリア間隔が17.5kHzである場合にリソースユニットに含まれるシンボルのCP長である、ように特に構成される。
【手続補正２６】
【補正対象書類名】特許請求の範囲
【補正対象項目名】全文
【補正方法】変更
【補正の内容】
【特許請求の範囲】
【請求項１】
情報伝送方法であって、
第1のデバイスにより、サービングセルのサブキャリア間隔を決定するステップと、
前記第1のデバイスにより、前記サービングセルの前記サブキャリア間隔に基づいて前記サービングセルのリソースユニットを決定するステップと、
前記第1のデバイスにより、前記サービングセルの前記リソースユニットに基づいて前記サービングセル内の第2のデバイスに情報を送信し、または、前記サービングセルの前記リソースユニットに基づいて前記サービングセルにおいて、前記第2のデバイスによって送信された情報を受信するステップと
を含む方法。
【請求項２】
前記第1のデバイスにより、前記サービングセルの前記サブキャリア間隔に基づいて前記サービングセルのリソースユニットを決定する前記ステップが、
前記第1のデバイスにより、前記サービングセルの前記サブキャリア間隔に基づいて前記サービングセルの前記リソースユニットのパラメータを決定するステップであって、前記リソースユニットの前記パラメータが、前記リソースユニットの長さ、前記リソースユニットに含まれるシンボルの数、前記リソースユニットに含まれるサブキャリアの数、前記リソースユニットに含まれるシンボルの有効シンボル長、および前記リソースユニットに含まれるシンボルのサイクリックプレフィックス（CP）長のうちの少なくとも1つを含む、ステップ
を含む、請求項1に記載の方法。
【請求項３】
前記第1のデバイスにより、前記サービングセルの前記サブキャリア間隔に基づいて、前記サービングセルの前記リソースユニットの長さを決定する前記ステップが、
前記サービングセルの前記サブキャリア間隔がΔf1である場合、前記リソースユニットの前記長さが
【数１】
2019511879.tif 000064
であると決定するステップであって、式中、Δf1＝N1・15kHzであり、N1が2以上の正の整数であり、t1が1msである、ステップ
を含む、請求項2に記載の方法。
【請求項４】
前記第1のデバイスにより、前記サービングセルの前記サブキャリア間隔に基づいて、前記サービングセルの前記リソースユニットに含まれるシンボルの数を決定する前記ステップが、
前記第1のデバイスにより、前記サービングセルの前記サブキャリア間隔に基づいて、前記サービングセルの前記リソースユニットに含まれるシンボルの前記数が14であると決定するステップであって、前記サービングセルの前記サブキャリア間隔が15kHzの倍数である、ステップ
を含む、請求項2または3に記載の方法。
【請求項５】
前記第1のデバイスにより、前記サービングセルの前記サブキャリア間隔に基づいて、前記サービングセルの前記リソースユニットに含まれるサブキャリアの数を決定する前記ステップが、
前記第1のデバイスにより、前記サービングセルの前記サブキャリア間隔に基づいて、前記サービングセルの前記リソースユニットに含まれるサブキャリアの前記数が12であると決定するステップであって、前記サービングセルの前記サブキャリア間隔が15kHzの倍数である、ステップ、または
前記第1のデバイスにより、前記サービングセルの前記サブキャリア間隔に基づいて、前記サービングセルの前記リソースユニットに含まれるサブキャリアの前記数が12の倍数であると決定するステップ
を含む、請求項2から4のいずれか一項に記載の方法。
【請求項６】
前記第1のデバイスにより、前記サービングセルの前記サブキャリア間隔に基づいて、前記サービングセルの前記リソースユニットに含まれるシンボルの有効シンボル長を決定する前記ステップが、
前記サービングセルの前記サブキャリア間隔がΔf1である場合、前記リソースユニットに含まれる前記シンボルの前記有効シンボル長が
【数２】
2019511879.tif 000065
であると決定するステップであって、式中、Δf1＝N1・15kHzであり、N1が2以上の正の整数であり、Ts＝1／（15000×2048）である、ステップ
を含む、請求項2から5のいずれか一項に記載の方法。
【請求項７】
前記リソースユニットが第1のノーマルCPシンボルおよび第2のノーマルCPシンボルを含み、
前記第1のデバイスにより、前記サービングセルの前記サブキャリア間隔に基づいて、前記サービングセルの前記リソースユニットに含まれるシンボルのサイクリックプレフィックス（CP）長を決定する前記ステップが、
前記サービングセルの前記サブキャリア間隔がΔf1である場合、前記第1のノーマルCPシンボルの長さが
【数３】
2019511879.tif 000066
であり、前記第2のノーマルCPシンボルの長さが
【数４】
2019511879.tif 000067
であると決定するステップであって、式中、Δf1＝N1・15kHzであり、N1が2以上の正の整数であり、Ts＝1／（15000×2048）である、ステップ
を含む、請求項2から6のいずれか一項に記載の方法。
【請求項８】
デバイスであって、前記デバイスが第1のデバイスであり、前記デバイスが、
サービングセルのサブキャリア間隔を決定し、前記サービングセルの前記サブキャリア間隔に基づいて前記サービングセルのリソースユニットを決定するように構成された処理部と、
前記処理部によって決定された前記サービングセルの前記リソースユニットに基づいて前記サービングセル内の第2のデバイスに情報を送信し、または、前記処理部によって決定された前記サービングセルの前記リソースユニットに基づいて前記サービングセルにおいて、前記第2のデバイスによって送信された情報を受信するように構成された送受信部と
を含む、デバイス。
【請求項９】
前記処理部が、前記サービングセルの前記サブキャリア間隔に基づいて前記サービングセルの前記リソースユニットのパラメータを決定し、前記リソースユニットの前記パラメータが、前記リソースユニットの長さ、前記リソースユニットに含まれるシンボルの数、前記リソースユニットに含まれるサブキャリアの数、前記リソースユニットに含まれるシンボルの有効シンボル長、および前記リソースユニットに含まれるシンボルのサイクリックプレフィックス（CP）長のうちの少なくとも1つを含む、ように特に構成される、請求項8に記載のデバイス。
【請求項１０】
前記処理部が、前記サービングセルの前記サブキャリア間隔がΔf1である場合、前記リソースユニットの前記長さが
【数５】
2019511879.tif 000068
であると決定し、式中、Δf1＝N1・15kHzであり、N1が2以上の正の整数であり、t1が1msである、ように特に構成される、請求項9に記載のデバイス。
【請求項１１】
前記処理部が、前記サービングセルの前記サブキャリア間隔に基づいて、前記サービングセルの前記リソースユニットに含まれるシンボルの前記数が14であると決定し、前記サービングセルの前記サブキャリア間隔が15kHzの倍数である、ように特に構成される、請求項9または10に記載のデバイス。
【請求項１２】
前記処理部が、
前記サービングセルの前記サブキャリア間隔に基づいて、前記サービングセルの前記リソースユニットに含まれるサブキャリアの前記数が12であると決定し、前記サービングセルの前記サブキャリア間隔が15kHzの倍数であり、または
前記サービングセルの前記サブキャリア間隔に基づいて、前記サービングセルの前記リソースユニットに含まれるサブキャリアの前記数が12の倍数であると決定する
ように特に構成される、請求項9から11のいずれか一項に記載のデバイス。
【請求項１３】
前記処理部が、前記サービングセルの前記サブキャリア間隔がΔf1である場合、前記リソースユニットに含まれる前記シンボルの前記有効シンボル長が
【数６】
2019511879.tif 000069
であると決定し、式中、Δf1＝N1・15kHzであり、N1が2以上の正の整数であり、Ts＝1／（15000×2048）である、ように特に構成される、請求項9から12のいずれか一項に記載のデバイス。
【請求項１４】
前記リソースユニットが第1のノーマルCPシンボルおよび第2のノーマルCPシンボルを含み、
前記処理部が、
前記サービングセルの前記サブキャリア間隔がΔf1である場合、前記第1のノーマルCPシンボルの長さが
【数７】
2019511879.tif 000070
であり、前記第2のノーマルCPシンボルの長さが
【数８】
2019511879.tif 000071
であると決定し、式中、Δf1＝N1・15kHzであり、N1が2以上の正の整数であり、Ts＝1／（15000×2048）である、
ように特に構成される、請求項9から13のいずれか一項に記載のデバイス。
【請求項１５】
請求項1から7のいずれか一項に記載の方法をコンピュータに実行させるコンピュータプログラム。
【国際調査報告】
2019511879.tif 000072
2019511879.tif 000073
2019511879.tif 000074
2019511879.tif 000075